(57)【要約】【課題】より容易に情報を利用することができるようにする。【解決手段】制御部１１１は、ステップＳ１０１において、指紋検出部１２６を制御して、そのユーザの生体データ（指紋データ）を取得する。制御部１１１は、ステップＳ１０２において、上述したように入力部１３１を介して入力されるユーザ指示を取得する。制御部１１１は、ステップＳ１０３において、ユーザ指示に従ってデータを生成する。制御部１１１は、ステップＳ１０４において、ステップＳ１０３において生成されたデータに、ステップＳ１０１において取得した生体データを付与する。本発明は、例えば、デジタルスチルカメラやカムコーダに適用することができる。【選択図】図５
2010183500.tif 000002
【特許請求の範囲】
【請求項１】
ユーザの生体情報を取得する取得手段と、
前記ユーザの指示を受け付ける受付手段と、
前記受付手段により受け付けられた前記指示に基づいて得られる情報に、前記取得手段により取得された前記生体情報を関連付ける関連付け手段と
を備える情報処理装置。
【請求項２】
前記情報は、前記受付手段により受け付けられた前記指示に基づいて生成される前記情報処理装置の設定情報である
請求項１に記載の情報処理装置。
【請求項３】
前記情報は、前記受付手段により受け付けられた前記指示に基づいて前記情報処理装置に登録される前記ユーザのユーザデータである
請求項１に記載の情報処理装置。
【請求項４】
前記ユーザデータには、前記情報処理装置の設定情報が関連付けられる
請求項３に記載の情報処理装置。
【請求項５】
前記受付手段により受け付けられた前記指示に基づいて、他のユーザのユーザデータを複製し、前記ユーザデータに含まれる前記他のユーザの識別情報を前記ユーザの識別情報に変更する複製手段をさらに備え、
前記関連付け手段は、前記ユーザデータに含まれる前記他のユーザの生体情報の識別情報を、前記ユーザの生体情報の識別情報に置き換える
請求項１に記載の情報処理装置。
【請求項６】
前記情報は、前記受付手段により受け付けられた前記指示により実行が指示されるコマンドの実行可否設定である
請求項１に記載の情報処理装置。
【請求項７】
前記情報は、前記受付手段により受け付けられた前記指示に基づいて生成されるコンテンツである
請求項１に記載の情報処理装置。
【請求項８】
前記関連付け手段は、前記コンテンツの使用許可設定として、前記コンテンツに前記生体情報を関連付ける
請求項７に記載の情報処理装置。
【請求項９】
前記関連付け手段は、前記コンテンツの作成者を示す情報として、前記コンテンツに前記生体情報を関連付ける
請求項７に記載の情報処理装置。
【請求項１０】
前記取得手段は、前記情報処理装置の筐体の、前記ユーザの指が接触し易いところに設けられ、前記生体情報として前記ユーザの指紋を取得する
請求項１に記載の情報処理装置。
【請求項１１】
ユーザの生体情報を取得し、
前記ユーザの指示を受け付け、
受け付けられた前記指示に基づいて得られる情報に、取得された前記生体情報を関連付ける
情報処理方法。
【請求項１２】
ユーザの生体情報を取得し、
前記ユーザの指示を受け付け、
受け付けられた前記指示に基づいて得られる情報に、取得された前記生体情報を関連付ける
情報処理方法をコンピュータに実行させるプログラム。
【発明の詳細な説明】
【技術分野】
【０００１】
本発明は、情報処理装置および方法、並びにプログラムに関し、特に、情報をより容易に利用することができるようにした情報処理装置および方法、並びにプログラムに関する。
【背景技術】
【０００２】
近年、情報のデジタル化が進み、例えば、デジタルスチルカメラやデジタルビデオカメラのようなデジタル情報を取り扱うデジタル機器が普及している。このようなデジタル機器は、例えば家族のような複数のユーザにより共有される場合も多い。
【０００３】
複数人でデジタル機器を共有する場合、各ユーザが作成する等したデータが混在すると、その分類が困難になり、ユーザが所望のデータを容易に得ることができなくなる恐れがあった。特に、デジタルスチルカメラやデジタルビデオカメラなどのように筐体が小さな機器の場合、複雑な操作が可能な大規模な入力インタフェースを設けることが困難であり、ボタンやタッチパネル等のような簡易な入力インタフェースが設けられていることが多い。このような場合、ユーザはその簡易な入力インタフェースを操作しなければならず、データ分類やデータ検索等の作業が煩雑になってしまうことが多い。
【０００４】
そこで、例えば、電源投入時等に指紋認証を行い、その後撮影された写真は、指紋認証の特徴点ごとに生成されたフォルダへ保存されるようにする方法が考えられた（例えば、特許文献１乃至特許文献３参照）。
【０００５】
また、撮影データに撮影者情報や撮影条件を付与する方法が考えられた（例えば、特許文献４参照）。
【先行技術文献】
【特許文献】
【０００６】
【特許文献１】特開２００４−１７１４８８号公報
【特許文献２】特開２００２−２８１４３９号公報
【特許文献３】特開２００２−２１８３８９号公報
【特許文献４】特開２００６−３２６１８７号公報
【発明の概要】
【発明が解決しようとする課題】
【０００７】
しかしながら、引用文献１乃至引用文献３に記載の方法は、生成されたデータを、ユーザの指紋情報等を用いてユーザ毎のフォルダに単に分類するだけのものであり、コンテンツの使用等を制御するものではなかった。例えばコンテンツの使用制限等の設定変更が困難である恐れがあった。また、コンテンツ以外の情報への応用が困難であった。例えば、機器の設定情報やコマンド制御方法等のように、フォルダに分類不可能な情報では実現することが困難であった。また、仮に分類したとしてもその情報の利便性を向上させることができない恐れがあった。
【０００８】
また、例えば、引用文献４に記載の方法は、ユーザアカウントとパスワードを用いて撮像機にログインした状態で撮影がなされることが前提にされており、ログイン操作後に他者が撮影操作を行う場合、その操作者の情報を撮影データに付与することができない恐れがあった。
【０００９】
本発明は、このような状況に鑑みて提案されたものであり、ユーザの生体情報と指示入力を受け付け、入力された指示により得られる情報に、その情報の制御情報としてユーザの生体情報を関連付けることにより、その情報をより容易に利用することができるようにするものである。
【課題を解決するための手段】
【００１０】
本発明の一側面は、ユーザの生体情報を取得する取得手段と、前記ユーザの指示を受け付ける受付手段と、前記受付手段により受け付けられた前記指示に基づいて得られる情報に、前記取得手段により取得された前記生体情報を関連付ける関連付け手段とを備える情報処理装置である。
【００１１】
前記情報は、前記受付手段により受け付けられた前記指示に基づいて生成される前記情報処理装置の設定情報であるようにすることができる。
【００１２】
前記情報は、前記受付手段により受け付けられた前記指示に基づいて前記情報処理装置に登録される前記ユーザのユーザデータであるようにすることができる。
【００１３】
前記ユーザデータには、前記情報処理装置の設定情報が関連付けられるようにすることができる。
【００１４】
前記受付手段により受け付けられた前記指示に基づいて、他のユーザのユーザデータを複製し、前記ユーザデータに含まれる前記他のユーザの識別情報を前記ユーザの識別情報に変更する複製手段をさらに備え、前記関連付け手段は、前記ユーザデータに含まれる前記他のユーザの生体情報の識別情報を、前記ユーザの生体情報の識別情報に置き換えるようにすることができる。
【００１５】
前記情報は、前記受付手段により受け付けられた前記指示により実行が指示されるコマンドの実行可否設定であるようにすることができる。
【００１６】
前記情報は、前記受付手段により受け付けられた前記指示に基づいて生成されるコンテンツであるようにすることができる。
【００１７】
前記関連付け手段は、前記コンテンツの使用許可設定として、前記コンテンツに前記生体情報を関連付けるようにすることができる。
【００１８】
前記関連付け手段は、前記コンテンツの作成者を示す情報として、前記コンテンツに前記生体情報を関連付けるようにすることができる。
【００１９】
前記取得手段は、前記情報処理装置の筐体の、前記ユーザの指が接触し易いところに設けられ、前記生体情報として前記ユーザの指紋を取得するようにすることができる。
【００２０】
本発明の一側面はまた、ユーザの生体情報を取得し、前記ユーザの指示を受け付け、受け付けられた前記指示に基づいて得られる情報に、取得された前記生体情報を関連付ける情報処理方法である。
【００２１】
本発明の一側面はさらに、ユーザの生体情報を取得し、前記ユーザの指示を受け付け、受け付けられた前記指示に基づいて得られる情報に、取得された前記生体情報を関連付ける情報処理方法をコンピュータに実行させるプログラムである。
【００２２】
本発明の一側面においては、ユーザの生体情報が取得され、ユーザの指示が受け付けられ、受け付けられた指示に基づいて得られる情報に、取得された生体情報が関連付けられる。
【発明の効果】
【００２３】
本発明によれば、情報を処理することができる。特に、情報をより容易に利用することができる。
【図面の簡単な説明】
【００２４】
【図１】本発明を適用した撮像装置の主な構成の一実施の形態を示すブロック図である。
【図２】センサの設置位置を説明するための図である。
【図３】センサの設置位置を説明するための図である。
【図４】指紋検出部の主な構成の一実施の形態を示すブロック図である。
【図５】データ生成処理を説明するためのフローチャートである。
【図６】制御部の主な構成の一実施の形態を示すブロック図である。
【図７】撮像処理の流れの一実施の形態を説明するためのフローチャートである。
【図８】画像ファイルと撮影者の関係を示すテーブル情報を説明するための模式図である。
【図９】画像表示処理の流れの一実施の形態を説明するためのフローチャートである。
【図１０】撮像画像の表示の一実施の形態を説明するための模式図である。
【図１１】撮像画像の表示の一実施の形態を説明するための模式図である。
【図１２】制御部の主な構成の他の実施の形態を示すブロック図である。
【図１３】閲覧可能者設定処理の流れの一実施の形態を説明するフローチャートである。
【図１４】画像ファイルと閲覧可能者の関係を示すテーブル情報を説明するための模式図である。
【図１５】制御部の主な構成の、さらに他の実施の形態を示すブロック図である。
【図１６】設定データ生成処理の流れの一実施の形態を説明するためのフローチャートである。
【図１７】撮影者と撮影の設定の関係を示すテーブル情報を説明するための模式図である。
【図１８】撮像処理の流れの他の実施の形態を説明するためのフローチャートである。
【図１９】撮像設定の表示の一実施の形態を説明するための模式図である。
【図２０】撮像設定の表示の一実施の形態を説明するための模式図である。
【図２１】制御部の主な構成の、さらに他の実施の形態を示すブロック図である。
【図２２】ユーザデータ生成処理の流れの一実施の形態を説明するためのフローチャートである。
【図２３】ユーザの識別情報と生体データの関係を示すテーブル情報を説明するための模式図である。
【図２４】ユーザデータ削除処理の流れの一実施の形態を説明するためのフローチャートである。
【図２５】撮像設定のテーブル情報とユーザデータのテーブル情報との関連付けの様子の一実施の形態を説明するための模式図である。
【図２６】撮像設定のテーブル情報とユーザデータのテーブル情報との関連付けの様子の、他の実施の形態を説明するための模式図である。
【図２７】ユーザデータ複製処理の流れの一実施の形態を説明するためのフローチャートである。
【図２８】撮像設定のテーブル情報とユーザデータのテーブル情報との関連付けの様子の、さらに他の実施の形態を説明するための模式図である。
【図２９】制御部の主な構成の、さらに他の実施の形態を示すブロック図である。
【図３０】ユーザデータ複製処理の流れの、他の実施の形態を説明するためのフローチャートである。
【図３１】撮像設定のテーブル情報とユーザデータのテーブル情報との関連付けの様子の、さらに他の実施の形態を説明するための模式図である。
【図３２】制御部の主な構成の、さらに他の実施の形態を示すブロック図である。
【図３３】コマンドと使用可能ユーザの関係を示すテーブル情報を説明するための模式図である。
【図３４】コマンド実行制御処理の流れの一実施の形態を説明するためのフローチャートである。
【図３５】センサの設置位置を説明するための図である。
【図３６】制御部の主な構成の一実施の形態を示すブロック図である。
【図３７】コマンド実行処理の流れの実施の形態を説明するためのフローチャートである。
【図３８】制御部の主な構成の、他の実施の形態を示すブロック図である。
【図３９】コマンド実行処理の流れの実施の形態を説明するためのフローチャートである。
【発明を実施するための形態】
【００２５】
以下、発明を実施するための形態（以下実施の形態とする）について説明する。なお、説明は以下の順序で行う。
１．第１の実施の形態（撮像画像に撮像者の生体データを付与する方法）
２．第２の実施の形態（撮像画像に閲覧可能者の生体データを付与する方法）
３．第３の実施の形態（設定データに生体データを付与する方法）
４．第４の実施の形態（ユーザデータに生体データを付与する方法）
５．第５の実施の形態（ユーザデータに設定データを関連付けする方法）
６．第６の実施の形態（コマンド制御に生体データを関連付ける方法）
７．第７の実施の形態（他の装置のコマンド制御に生体データを関連付ける方法）
【００２６】
＜１．第１の実施の形態＞
［撮像装置の概要］
図１は、本発明を適用した撮像装置の主な構成の一実施の形態を示すブロック図である。
【００２７】
撮像装置１００は、被写体１１を撮像し、その被写体の画像（撮像画像）を電子データ化し、得られた画像データを、表示したり、記憶したりする。撮像装置１００は、例えばデジタルスチルカメラやカムコーダ（ソニー株式会社の商標）等の電子機器である。以下においては電子機器の例としてこの撮像装置１００を用いて本発明を説明するが、本発明は、デジタルデータを処理する装置であればどのような装置にも適用することができる。従って、撮像装置１００以外にも、例えば、音楽プレーヤ、録音機、テレビジョン受像機、DVDプレーヤ、ハードディスクレコーダ、編集装置、携帯型電話機、TVゲーム機、パーソナルコンピュータ、サーバ、医療機器、計測器、制御器等、任意の電子機器に適用することができる。
【００２８】
図１に示されるように、撮像装置１００は、制御部１１１、光学部１２１、撮像部１２２、画像処理部１２３、記憶部１２４、表示部１２５、指紋検出部１２６、入力部１３１、出力部１３２、通信部１３３、および、ドライブ１３４を有する。
【００２９】
なお、図１において矢印は、主な情報の伝送方向や制御関係を示す。各ブロックは、図１に示される以外も、必要に応じて相互に信号（データ）を授受したり制御を行ったりすることが可能とされている。図２以降についても同様である。
【００３０】
光学部１２１は、例えばレンズ、絞り、およびメカシャッタ等の光学素子よりなり、焦点位置や露出の調整を行う。光学部１２１は、撮像時において、撮像装置１００の外部より入射された光を透過し、撮像部１２２に供給する。撮像部１２２は、例えば、CCD（Charge Coupled Device）やCMOS（Complementary Metal Oxide Semiconductor）センサ等の光電素子を有する。撮像部１２２は、その光電素子により、光学部１２１を介して供給された入射光（撮像画像）を電子データ化し、撮像画像の画像データを生成する。撮像部１２２は、生成した画像データを画像処理部１２３に供給する。
【００３１】
画像処理部１２３は、撮像部１２２より供給された画像データに対して、例えば画質調整やサイズ変更等の所定の画像処理を行う。画像処理部１２３は、処理後の画像データを、例えば記憶部１２４に供給して記憶させる。また、画像処理部１２３は、処理後の画像データを、例えば表示部１２５に供給してその画像を表示させる。さらに、画像処理部１２３は、処理後の画像データを、例えば制御部１１１に供給し、制御部１１１において実行される処理に利用させる。
【００３２】
記憶部１２４は、画像データを記憶する記憶媒体であり、画像処理部１２３や制御部１１１より供給される画像データ等を記憶する。また、記憶部１２４は、必要に応じて、記憶している画像データを、制御部１１１等に供給する。記憶部１２４は、例えば、フレキシブルディスク、テープデバイス、若しくはハードディスク等の磁気記録媒体、MD（Mini Disc（ソニー株式会社の登録商標））等の光磁気ディスク、CD（Compact Disc）やDVD（Digital Versatile Disc）等の光ディスク、または、フラッシュメモリ、SRAM（Static Random Access Memory）、若しくはDRAM（Dynamic Random Access Memory）等の半導体メモリ等、任意の記憶媒体を有する。
【００３３】
なお、この記憶媒体は、例えばCDやDVD等のように記憶部１２４より脱着可能なリムーバブルメディア（記憶可能なリムーバブルメディア）であってもよい。その場合、記憶部１２４は、その記憶可能なリムーバブルメディアと、そのリムーバブルメディアが装着されたドライブ等により構成される。ドライブは、装着されたリムーバブルメディアに対して情報の読み出しや書き込みが可能なデバイスである。
【００３４】
記憶部１２４は、画像データを記憶することができるものであればどのようなものであってもよく、上述した以外のデバイスに情報を記憶するようにしてもよい。
【００３５】
表示部１２５は、画像処理部１２３や制御部１１１より供給された画像データの画像やGUI（Graphical User Interface）等を表示する。表示部１２５は、例えば、LCD、PDP（Plasma Display Panel）、有機ELディスプレイ（Organic ElectroLuminescence Display）、またはCRT（Cathode Ray Tube）ディスプレイ等、任意のディスプレイを有する。表示部１２５は、画像を表示することができるものであればどのようなものであってもよく、上述した以外のデバイスに情報を表示するようにしてもよい。また、例えば、表示部１２５の表示面に、ユーザ指示等を受け付けるための透過性のタッチパネルが重畳される等しても良い。
【００３６】
指紋検出部１２６は、生体データとして指紋を検出するセンサを有する。このセンサは、撮像装置１００の筐体の所定の位置に設けられ、撮像装置１００を操作するユーザの指紋を読み取る。指紋検出部１２６は、その読み取られたユーザの指紋を電子データ化し、生体データとして検出する。指紋検出部１２６は、その検出結果を制御部１１１に供給する。
【００３７】
なお、以下においては、生体データの例として指紋を用いて本発明を説明するが、生体データは、ユーザ個人を特定できるものであれば何でもよく、例えば、手のひらや網膜等の静脈パターン、掌形、虹彩、顔形、声紋、筆跡、またはDNA（Deoxyribonucleic acid）等、どのようなものを用いるようにしてもよい。ただし、指紋認証の場合、認証技術が普及しており、安定した認証（検出処理）を、容易に、安価かつ小型に実現することができる。
【００３８】
制御部１１１は、例えば、CPU（Central Processing Unit）、ROM（Read Only Memory）、およびRAM（Random Access Memory）等を有し、撮像装置１００の動作を制御する各種処理を行う。制御部１１１は、CPUがROMより読み出したプログラムやデータをRAMにロードし、実行することにより撮像装置１００の各種機能を実現する。
【００３９】
例えば、制御部１１１は、光学部１２１乃至表示部１２５を制御し、被写体を撮像させ、得られた画像データを表示させたり、記憶させたりする。また、例えば、制御部１１１は、指紋検出部１２６により検出された生体データ（指紋）を、入力部１３１を介して入力されたユーザ指示に基づいて生成または更新されたデータに関連付ける。さらに、例えば、制御部１１１は、指紋検出部１２６により検出された生体データ（指紋）に基づいて、入力部１３１を介して入力されたユーザ指示により実行される処理の制御を行う。これらの制御処理の詳細については後述する。
【００４０】
なお、RAMにロードされるプログラムやデータは、記憶部１２４より読み出されるようにしてもよいし、ドライブ１３４に装着されたリムーバブルメディア１４１より読み出されるようにしてもよい。
【００４１】
入力部１３１は、ユーザに操作されて指示入力を受け付け、その指示入力を制御部１１１に供給するユーザインタフェースである。入力部１３１は、例えば、ボタン、つまみ、スイッチ、およびタッチパネル等を有する。もちろん、入力部１３１が、これら以外の入力デバイスを有するようにしてもよい。
【００４２】
出力部１３２は、制御部１１１より供給される情報を、撮像装置１００の外部に出力する。出力部１３２は、例えば、音声を出力するためのスピーカ、画像や文字等を表示するための、表示部１２５以外のモニタ、または、電気信号（情報）を出力するための出力端子等を有する。もちろん、出力部１３２が、これら以外の出力デバイスを有するようにしてもよい。
【００４３】
通信部１３３は、所定の規格に基づいて撮像装置１００以外の他の装置の通信部と有線通信または無線通信を確立し、制御部１１１より供給される情報を他の装置に提供したり、他の装置より供給される情報を取得して制御部１１１に供給したりする。通信部１３３は、例えば、Ethernet（登録商標）、IEEE（Institute of Electrical and Electronic Engineers）802.11、Bluetooth、USB（Universal Serial Bus）、IEEE1394、またはHDMI（High-Definition Multimedia Interface）等、任意の規格に基づく通信を行う。
【００４４】
ドライブ１３４は、ドライブ１３４に装着された、磁気ディスク、光ディスク、光磁気ディスク、又は半導体メモリなどのリムーバブルメディア１４１を駆動する。ドライブ１３４は、装着されたリムーバブルメディア１４１よりプログラムやデータを読み出し、それを制御部１１１に供給する。なお、ドライブ１３４は、撮像装置１００と異なるデバイスとし、撮像装置１００がリムーバブルメディア１４１に記憶されている情報を読み出す際に、撮像装置１００に適宜接続されるようにしてもよい。
【００４５】
なお、各部が上述した以外の構成を有するようにしてもよい。また、撮像装置１００が、上述した以外の構成も有するようにしてももちろんよい。
【００４６】
次に、指紋検出部１２６に設けられるセンサの位置について説明する。図２および図３は、センサの設置位置を説明するための図である。撮像装置１００の筐体に、例えば図２に示されるようにディスプレイが設けられている場合、そのディスプレイの表示面に設けられたタッチパネルに指紋検出機能を設け、タッチパネルを操作するユーザの指紋を検出するようにしてもよい（楕円１５１）。また、例えばユーザの手が撮像装置１００の筐体を握り込んだときに各指が位置すると想定される位置に指紋検出用のセンサを設け、そのセンサが筐体を握り込んだ手（指）の指紋を検出するようにしてもよい（楕円１５２および楕円１５３）。
【００４７】
また、上述したように、撮像装置１００の筐体にタッチパネルが重畳されたディスプレイが設けられている場合、そのディスプレイの表示面全体において検出が行われるようにしてもよいし、一部の領域において検出が行われるようにしてもよい。例えば図３Ａに示される楕円１６１のように、撮像装置１００に設けられたディスプレイの表示面全体を検出領域としてもよい。また、例えば図３Ａに示される円１６２のように、表示された撮像画像において顔と判定された部分のみを検出領域としてもよい。さらに、例えば、図３Ａに示される楕円１６３のように、画像ではなくGUIが表示される部分を検出領域としてもよい。
【００４８】
また、図３Ｂに示される楕円１６５のように、例えばレリーズボタン等、所定のボタンやスイッチ等にセンサを設けるようにしてもよい。さらに、例えば、図３Ｂに示される楕円１６４乃至楕円１６６のように、撮像装置１００の筐体の、撮像時にユーザの指が接触するであろうと推測される複数の部分に、センサを設けるようにしてもよい。
【００４９】
次に、指紋検出部１２６の詳細について説明する。図４は、指紋検出部１２６の主な構成の一実施の形態を示すブロック図である。図４に示されるように、指紋検出部１２６は、指紋検出窓２０１、レンズ２０２、投光素子２０３、指紋検出用エリアセンサ２０４、および信号処理部２０５を有する。
【００５０】
指紋検出窓２０１は、指紋の検出を行う台であり、投光素子２０３より出射された光、および、その光がユーザの指１２において反射された反射光を透過する。つまり、この指紋検出窓２０１にかざされた指１２の指紋が検出される。レンズ２０２は、指紋検出用の光の焦点距離や位置を調整する。
【００５１】
投光素子２０３は、制御部１１１に制御され、指紋検出用の光を発光し、出射する。投光素子２０３より出射された光は、レンズ２０２および指紋検出窓２０１を介して指１２に照射され、その一部が反射される。その反射光は、指紋検出窓２０１およびレンズ２０２を介して指紋検出用エリアセンサ２０４に供給される。
【００５２】
指紋検出用エリアセンサ２０４は、その反射光を光電変換することにより、指１２の指紋パターンを電気信号化する。指紋検出用エリアセンサ２０４は、その電気信号を信号処理部２０５に供給する。
【００５３】
信号処理部２０５は、制御部１１１に制御され、指紋検出用エリアセンサ２０４より検出結果として供給される電気信号をデジタルデータ化し、生体データを生成する。信号処理部２０５は、Ａ／Ｄ変換部２１１、画像処理部２１２、および画像メモリ２１３を有する。
【００５４】
Ａ／Ｄ変換部２１１は、指紋検出用エリアセンサ２０４より供給されるアナログの電気信号をデジタル化し、デジタルデータを画像処理部２１２に供給する。つまり、このデジタルデータは、指１２の指紋パターンを含む生体データである。画像処理部２１２は、Ａ／Ｄ変換部２１１より供給されるデジタルデータに対して、例えば指紋パターンがより明確になるように画像処理を行う。画像処理部２１２は、例えばSRAM等により構成される所定の記憶部である画像メモリ２１３に、デジタルデータ等を適宜記憶させながら処理を行う。画像処理部２１２は、処理後のデジタルデータを例えば制御部１１１に供給する。
【００５５】
なお、指紋検出部１２６が上述した以外の構成を有するようにしてももちろん良い。
【００５６】
次に、制御部１１１が、指紋検出部１２６により検出された生体データ（指紋）を、入力部１３１を介して入力されたユーザ指示に基づいて生成または更新されたデータに関連付けるデータ生成処理の流れの一実施の形態を、図５のフローチャートを参照して説明する。
【００５７】
ユーザは、指紋検出部１２６において自分の指１２の指紋を検出させるとともに、入力部１３１を操作してユーザ指示を入力する。このとき、ユーザが指紋を検出させた後に入力部１３１を操作するようにしてもよいし、指紋検出部１２６が、入力部１３１を操作するユーザの指１２の指紋を検出するようにしてもよい。
【００５８】
データ生成処理が開始されると、制御部１１１は、ステップＳ１０１において、指紋検出部１２６を制御して、そのユーザの生体データ（指紋）を取得する。制御部１１１は、ステップＳ１０２において、上述したように入力部１３１を介して入力されるユーザ指示を取得する。制御部１１１は、ステップＳ１０３において、ステップＳ１０２において取得したユーザ指示に従ってデータを生成する。制御部１１１は、ステップＳ１０４において、ステップＳ１０３において生成したデータに、ステップＳ１０１において取得した生体データを付与する。なお、この付与は、生体データまたは生体データを示す情報をデータに付加することだけでなく、データと生体データを関連付ける情報を生成することも含む。
【００５９】
ステップＳ１０４の処理が終了されると、データ生成処理が終了する。
【００６０】
なお、データの更新時に生体データを付与するようにしてもよい。その場合、制御部１１１は、ステップＳ１０３の処理において、データを生成する代わりに、既存のデータを更新する。
【００６１】
以上のようにユーザ指示に従って生成または更新したデータに、ユーザの生体データを付与することにより、制御部１１１は、その生体データを用いてデータの管理や実行を制御することができる。つまり、制御部１１１は、ユーザの意図に応じたデータの管理・実行制御を容易に行うことができる。これにより、ユーザは、より容易に情報を利用することができる。
【００６２】
以下に、具体的な例について説明する。
【００６３】
［撮影者特定］
撮像装置１００は、例えば、被写体を撮像して得られる撮像画像のデータ（コンテンツ）に、作成者を示す情報として、撮影者の生体データを付与することができる。また、撮像装置１００は、例えば、その生体データを用いて画像データの表示を制御することができる。図６は、この場合の、制御部１１１の主な構成の一実施の形態を示すブロック図である。
【００６４】
制御部１１１は、機能ブロックとして、生体データ取得部２４１、指示受付部２４２、画像データ取得部２４３、撮影者生体データ付与部２４４、画像データ記憶部２４５、画像データ検索部２４６、および検索結果表示部２４７を有する。
【００６５】
これらの機能ブロックが示す機能は、制御部１１１において、例えばCPUがROMより読み出したプログラムやデータをRAMにロードし、実行することにより実現される。
【００６６】
生体データ取得部２４１は、指紋検出部１２６を制御し、ユーザ（撮影者）の指１２の指紋を検出させ、ユーザの生体データを取得する。指示受付部２４２は、入力部１３１を介して入力されるユーザ指示を受け付け、取得する。指示受付部２４２は、例えば、そのユーザ指示が被写体の撮像を指示するものである場合、そのユーザ指示を画像データ取得部２４３に供給する。また、指示受付部２４２は、ユーザ指示が画像データの表示を指示するものである場合、そのユーザ指示を画像データ検索部２４６に供給する。
【００６７】
画像データ取得部２４３は、指示受付部２４２により受け付けられたユーザ指示に基づいて、光学部１２１乃至表示部１２５を制御し、被写体１１の撮像を行わせ、その撮像画像の画像データを取得する。
【００６８】
撮影者生体データ付与部２４４は、画像データ取得部２４３により取得された画像データ（撮像画像）に、その画像データの作成者を示す情報として、生体データ取得部２４１により取得されたユーザ（撮影者、すなわち、画像データの作成者）の生体データを付与（付加または関連付け）する。画像データ記憶部２４５は、ユーザの生体データが付与された画像データを、記憶部１２４に供給し、記憶させる。
【００６９】
画像データ検索部２４６は、指示受付部２４２により受け付けられたユーザ指示に基づいて、生体データ取得部２４１により取得されたユーザの生体データを用いて、記憶部１２４に記憶されている画像データの画像の中からユーザに提示する画像の検索を行う。検索結果表示部２４７は、画像データ検索部２４６による検索の結果を表示部１２５に表示させる。
【００７０】
このような被写体の撮像を行う撮像処理の流れの一実施の形態を、図７のフローチャートを参照して説明する。
【００７１】
撮像処理が開始されると、生体データ取得部２４１は、ステップＳ１２１において、ユーザ（撮影者）の生体データを取得する。ユーザ（撮影者）は、撮像装置１００を操作し、指紋検出部１２６に指１２の指紋を検出させ、撮像装置１００を被写体１１に向け、レリーズボタンを押下する等して、被写体の撮像を指示する。指示受付部２４２は、ステップＳ１２２において、ユーザ指示を受け付ける。
【００７２】
画像データ取得部２４３は、ステップＳ１２３において、被写体を撮像し、画像データを生成する。撮影者生体データ付与部２４４は、ステップＳ１２４において、画像データに、その画像データの撮影者（作成者）を示す情報として、ステップＳ１２１において取得された生体データを付与する。例えば、撮影者生体データ付与部２４４は、画像データ（またはそのメタデータ）に撮影者（作成者）の生体データを付加する。生体データは、例えば、RAWデータ内エントリや、Exif（Exchangeable Image File Format）等の既存のフォーマットのユーザ指定領域に付加されるようにしてもよい。また、生体データを付加可能な独自のフォーマットを用意するようにしてもよい。
【００７３】
画像データ記憶部２４５は、ステップＳ１２５において、生体データが付与された画像データを記憶部１２４に記憶させる。
【００７４】
なお、生体データは、例えば図８に示されるようなテーブル情報によって関連付けられるようにしてもよい。図８に示されるテーブル情報２６１は、画像データを管理するためのプロファイル情報である。制御部１１１は、記憶部１２４に記憶される画像データに対して、テーブル情報２６１に示されるような各画像データの管理情報を生成（または更新）し、管理する。
【００７５】
すなわち、この場合、画像データ記憶部２４５は、ステップＳ１２５において、画像データとともにテーブル情報２６１を記憶部１２４に記憶させる。
【００７６】
テーブル情報２６１においては、各画像データに、画像データが生成された時期を示す撮影月と、撮影を行ったユーザを示す撮影者の情報が関連付けられている。なお、生体データは、別途ユーザ（撮影者）名（ID）を関連付けて登録されている。もちろん、このテーブル情報２６１に各撮影者の生体データを付加するようにしてもよい。なお、このテーブル情報２６１は、画像データとともに撮像装置１００の外部に出力することができるようにしてもよい。
【００７７】
なお、指紋検出部１２６が、例えばレリーズボタンのように、入力部１３１のユーザが意思決定を行う部分において指紋を検出するようにし、そのレリーズボタンを押下する指１２の指紋を検出するようにしてもよい。その場合、ステップＳ１２１とステップＳ１２２の処理は並行して行われるようにしてもよい。
【００７８】
また、このとき、生体データの取得に失敗した場合、生体データ取得部２４１が、指示受付部２４２が受け付けたユーザ指示に基づく処理の実行を禁止し、ユーザに生体データの入力を促すようにしてもよい。
【００７９】
また、画像データの更新時に、更新者の生体データを付与するようにしてもよい。その場合の処理は、上述した画像データ生成の場合と基本的に同様に行われる。
【００８０】
［画像表示］
以上のように、ユーザの指示に基づいて生成または更新された画像データに、指示を行ったユーザの生体データを関連付けることにより、画像データの使用時に、その生体データを用いた制御を行うことができる。例えば、ユーザが記憶部１２４に記憶されている画像データの画像を閲覧する際に、制御部１１１は、ユーザの生体データを取得することにより、そのユーザの生体データと関連付けられた画像データの画像を表示させることができる。
【００８１】
図９のフローチャートを参照して、そのような画像表示処理の流れの一実施の形態を説明する。
【００８２】
例えばユーザが、撮像装置１００の動作モードとして、画像を閲覧するビューアモードを選択すると、制御部１１１は、ビューアモードに移行し、画像表示処理を開始する。
【００８３】
画像表示処理が開始されると、生体データ取得部２４１は、ステップＳ１４１において、指紋検出部１２６を制御し、ユーザ（閲覧者）の生体データを取得する。ユーザ（閲覧者）は、指紋検出部１２６に自分の指１２の指紋を検出させ、入力部１３１を操作し、画像の閲覧を指示する。
【００８４】
指示受付部２４２は、ステップＳ１４２において、入力部１３１を介して入力されるそのユーザ指示を受け付ける。ユーザ指示が画像の閲覧であるため、画像データ検索部２４６は、ステップＳ１４３において、記憶部１２４に記憶されている画像データより、処理対象を選択し、その選択された画像データのプロファイル情報を参照する。上述したようにプロファイル情報において、画像データには撮影者の生体データが関連付けられている。なお、画像データ（またはそのメタデータ）に撮影者の生体データが付加されている場合、画像データ検索部２４６は、画像データ（またはそのメタデータ）に付加されている生体データを参照するようにしてもよい。
【００８５】
画像データ検索部２４６は、ステップＳ１４４において、その処理対象の画像データの撮影者が、ユーザであるか否かを判定する。撮影者がユーザであると判定された場合、処理はステップＳ１４５に進む。
【００８６】
ステップＳ１４５において、画像データ検索部２４６は、その処理対象の画像データ（の画像）を表示対象に追加する。ステップＳ１４５の処理が終了すると、処理はステップＳ１４６に進む。また、ステップＳ１４４において、撮影者がユーザで無いと判定された場合、処理はステップＳ１４６に進む。
【００８７】
画像データ検索部２４６は、ステップＳ１４６において、全ての画像データを処理したか否かを判定する。未処理の画像データが存在すると判定された場合、処理は、ステップＳ１４３に戻り、それ以降の処理が繰り返される。また、ステップＳ１４６において、全ての画像データが処理されたと判定された場合、処理はステップＳ１４７に進む。
【００８８】
ステップＳ１４７において、検索結果表示部２４７は、検索結果として、表示対象に選択された画像データの画像を表示部１２５に表示させる。ステップＳ１４７の処理が終了すると、画像表示処理が終了される。
【００８９】
このように画像閲覧者を制限する方法を用いて、例えば、表示する画像の絞り込みを行うことができる。例えば、図１０は、撮像画像の表示の一実施の形態を説明するための模式図である。図１０に示される状態は、「全ての画像が閲覧できる状態」であり、撮像装置１００の筐体に設けられたディスプレイ（表示部１２５）に表示される表示画面２７１には、記憶部１２４に記憶される全画像データの画像の一覧（の一部）が表示される。ユーザが、この一覧の中から１枚を選択し、決定ボタン２７２を操作すると、その選択された画像が表示画面２７１に大きく（または表示画面２７１全体に）表示される。
【００９０】
このとき、記憶部１２４に数百枚、数千枚の撮像画像の画像データが記憶されているとすると、撮像装置１００は、その全ての画像の一覧を表示画面２７１に表示することになる。ユーザは、その全ての画像の一覧を閲覧することにより所望の画像を検索し、表示させなければならない。
【００９１】
そこで、図９のフローチャートを参照して説明したように、制御部１１１が、ユーザ（閲覧者）の生体データを用いて画像の表示制御を行うことにより、撮像装置１００は、表示画面２７１に表示させる画像数を減らすことができる。
【００９２】
図１１は、撮像画像の表示の一実施の形態を説明するための模式図である。図１１に示されるように、例えば図１０の状態からユーザ（閲覧者）が指１２で決定ボタン２７２を操作すると、撮像装置１００は、その指１２の指紋を検出し、その指紋に関連付けられた画像のみを表示させる。つまり、ユーザ（閲覧者）が撮影者である画像が表示される。
【００９３】
例えば、閲覧者の「母」が、決定ボタン２７２を操作すると、その「母」が撮影した画像のみが検索されて表示される。例えば、「母」が「娘」を多く撮像しているとすると、この絞り込みにより多数の画像の中から「娘」の画像が多く選択されて表示されることになる。このようにすることにより、「娘」に関心のある「母」は、その「娘」の画像を容易に多くの画像の中から検索して閲覧することができる。
【００９４】
この例に限らず、一般的に、ユーザは、他人が撮像した画像よりも自分自身が撮像した画像の方に関心がある場合が多い。つまり、自分自身が撮像した画像を他よりも多く閲覧するユーザは多い。したがって、上述したように撮影者の生体データを画像データに付加することにより、制御部１１１は、画像データの利便性を向上させることができ、画像の閲覧時や整理時の作業の繁雑さを低減させることができる。その結果、ユーザは閲覧や整理を楽しく行うことができる。つまり、撮像装置１００は、ユーザの満足度を向上させることができる。
【００９５】
なお、このような生体データを用いた制御により、制御部１１１は、例えば、「自分の生成または変更したファイルを他者に見せない」ようにすることも容易に実現することができる。例えば、制御部１１１が、ユーザに対して「他者に見せない」ことを指定するロックフラグを立て、これも検索条件に強制的に追加するようにすればよい。このようにすることにより、画像検索時に、制御部１１１が、このロックフラグが立てられている場合、そのユーザが撮影者の画像を閲覧禁止と判断するようにすることができる。なお、このロックフラグが画像データに対して立てられるようにし、制御部１１１が、画像データ単位で閲覧の許可または禁止を制御することができるようにしてもよい。
【００９６】
また、画像検索時に、ユーザの生体データだけでなく、ユーザが、例えば撮影時期等の任意の条件を、任意の論理で検索条件に追加することができるようにしてもよい。このようにすることにより、ユーザは、例えば、「夕日の画像、若しくは、ユーザＡが撮像した画像」や、「去年の８月に私が撮影した画像」のような、複雑な条件で検索を行うことができ、より多様な方法で所望の画像を検索し、閲覧することができるようになる。
【００９７】
さらに、撮影者の顔画像を登録することができるようにしてもよい。上述したように、画像データには撮影者の生体データが関連付けられる。例えば、ユーザが自分自身を撮像すると、自分自身の顔画像の画像データに、その際に取得された自分自身の生体データが関連付けられる。これを利用して撮影者の顔を撮像装置１００に登録することができる。
【００９８】
このようにすることにより、ユーザ（閲覧者）は、登録されている顔画像を選択するだけで、その顔の人物が撮像した画像を容易に検索することができる。つまり、ユーザ（閲覧者）が、他人が撮影した画像も容易に閲覧することができるようになる。このようにすることにより、制御部１１１は、画像データの利便性を向上させることができる。
【００９９】
＜２．第２の実施の形態＞
［閲覧可能者制御］
また、画像データに、その画像データ（コンテンツ）の使用許可設定として、生体データを関連付けても良い。例えば、その画像の閲覧が許可されたユーザ（閲覧可能者）の生体データを関連付けるようにしてもよい。図１２は、その場合の、制御部１１１の主な構成の他の実施の形態を示すブロック図である。
【０１００】
図１２に示されるように、この場合の制御部１１１は、機能ブロックとして、画像データ取得部２８１、生体データ取得部２４１、指示受付部２４２、閲覧可能者生体データ付与部２８２、画像データ記憶部２４５、画像データ検索部２４６、および検索結果表示部２４７を有する。これらの機能ブロックは、制御部１１１において、例えばCPUがROMより読み出したプログラムやデータをRAMにロードし、実行することにより実現される。
【０１０１】
画像データ取得部２８１は、記憶部１２４に記憶されている画像データ、例えば、入力部１３１を介してユーザに選択された画像データを取得する。閲覧可能者生体データ付与部２８２は、指示受付部２４２により、閲覧が許可されたユーザの生体データを登録する処理の実行の指示が受け付けられた場合、画像データ取得部２８１により取得された画像データに、生体データ取得部２４１により取得されたユーザ（閲覧者）の生体データを、「閲覧可能者」の設定（すなわち、画像データの使用許可設定）として付与する。
【０１０２】
この「閲覧可能者」の生体データの付与も、撮影者の生体データの付与の場合と同様である。つまり、生体データまたはその生体データと等価な情報が画像データに付加されるようにしてもよいし、生体データまたはその生体データと等価な情報が画像データに関連付けられるプロファイル情報が生成されるようにしてもよい。
【０１０３】
次に、この場合の制御部１１１により実行される閲覧可能者設定処理の流れの一実施の形態を、図１３のフローチャートを参照して説明する。
【０１０４】
閲覧可能者設定処理が開始されると、ステップＳ１６１において、画像データ取得部２８１は、記憶部１２４から、例えば入力部１３１を介してユーザに指定された画像データを取得する。生体データ取得部２４１は、ステップＳ１６２において、指紋検出部１２６を制御してユーザの生体データを検出させ、取得する。指示受付部２４２は、ステップＳ１６３において、入力部１３１を介して入力されるユーザ指示を受け付ける。
【０１０５】
ステップＳ１６３において閲覧可能者の設定を指示するユーザ指示が受け付けられた場合、閲覧可能者生体データ付与部２８２は、ステップＳ１６４において、ステップＳ１６１において取得された画像データに、ステップＳ１６２において取得された生体データを、その画像データの使用許可設定（閲覧可能者）として付与する。画像データ記憶部２４５は、ステップＳ１６５において、生体データが付与された画像データを記憶する。
【０１０６】
なお、撮影者の生体データの場合と同様に、閲覧可能者の生体データも、例えば図１４に示されるようなテーブル情報によって関連付けられるようにしてもよい。図１４に示されるテーブル情報２９１は、画像データを管理するためのプロファイル情報である。閲覧可能者生体データ付与部２８２は、テーブル情報２９１に示されるような各画像データの管理情報において、画像データと閲覧可能者を関連付け、管理する。
【０１０７】
すなわち、この場合、画像データ記憶部２４５は、ステップＳ１６５において、画像データとともにテーブル情報２９１を記憶部１２４に記憶させる。
【０１０８】
テーブル情報２９１は、図８のテーブル情報２６１の構成の他に、閲覧可能者の情報がをさらに有する。つまり、各画像データに、さらに閲覧可能者の情報が関連付けられている。なお、生体データは、別途ユーザ（撮影者）名（ID）に関連付けて登録されている。もちろん、このテーブル情報２９１に各撮影者の生体データそのものを付加するようにしてもよい。なお、このテーブル情報２９１は、画像データとともに撮像装置１００の外部に出力することができるようにしてもよい。
【０１０９】
なお、指紋検出部１２６が、例えば決定ボタンのように、入力部１３１のユーザが意思決定を行う部分において指紋を検出するようにし、その決定ボタンを押下する指１２の指紋を検出するようにしてもよい。その場合、ステップＳ１６２とステップＳ１６３の処理は並行して行われるようにしてもよい。
【０１１０】
また、「閲覧可能者」の設定を、例えば、「私が撮影した画像は、全員が閲覧できる」、「父が撮影した画像は、父だけが閲覧できる」、「母が撮影した画像は、父以外の全員が閲覧できる」、「XX先生が撮影した画像は、指紋登録のない人のみが閲覧できる」等といった予め定められた所定のルールに従って、制御部１１１がユーザの指示なしに行うようにしてもよい。
【０１１１】
もちろん、そのルールの対象となるユーザを特定する必要が有る場合、つまり、特定のユーザに対するルールを明示的に指定したい場合、当該ユーザの生体データは、予め登録されている必要がある。例えば、「父だけが閲覧できる」や「父以外の全員が閲覧できる」といったようなルールを成立させるためには、その「父」の生体データが予め登録されている必要がある。なお、上述した「私が撮影した画像は、全員が閲覧できる」といったルールの場合、このような事前の生体データの登録は不要である。
【０１１２】
また、例えば、上述した「XX先生が撮影した画像は、指紋登録のない人のみが閲覧できる」のようなルールの場合、生体データの登録は事前になされていても良いし、なされていなくても良い。例えば、学校が所有する撮像装置１００に、学校の所在地情報などの記載を写した写真と、学校自体を撮影した写真を撮影し、"指紋登録のない人のみが閲覧可能"とすれば、それらの画像情報を紛失時用の情報として、拾得者に提供することができる。つまり、このようにすることにより、撮影装置１００の筐体に学校名や住所を記載するのと同様の情報、若しくはそれ以上に有用な情報を拾得者に提供することができる。さらに、このとき他の画像に対して、生体データが登録されていないユーザが閲覧できないように設定しておけば、不要な情報を拾得者に提供することを抑制することができる。
【０１１３】
画像閲覧時には、ユーザ（閲覧者）の生体データが、閲覧可能者として登録されているか否かが検索条件に追加され、画像データ検索部２４６が、ユーザの生体データや検索条件に基づいて検索を行う。検索結果表示部２４７は、そのようにして行われた検索された画像を表示部１２５に表示させる。例えば、ユーザ（閲覧者）の生体データが、閲覧可能者として登録されていない場合、その画像の表示が禁止される。
【０１１４】
このようにすることにより、画像閲覧の設定をより多様に行うことができる。これにより画像データの利便性が向上し、ユーザは、より容易に情報を利用することができる。
【０１１５】
＜３．第３の実施の形態＞
［設定制御］
生体データが付与される画像データの画像は、動画像であっても静止画像であっても良い。また、画像データ以外にも、例えば、音声データや文書データなどであってもよい。さらに、画像や音声のようなコンテンツのデータでなく、例えば、装置の設定データ等であってもよい。
【０１１６】
例えば、撮像装置１００が、自身の設定を定義する設定データを生体データに関連付けて管理し、ユーザの生体データに基づいて、生体データに対応する設定データを読み出して適用したり、設定データの更新を行ったりすることができるようにしてもよい。
【０１１７】
図１５は、この場合の制御部１１１の主な構成の、さらに他の実施の形態を示すブロック図である。
【０１１８】
図１５に示される撮像装置１００において、制御部１１１は、機能ブロックとして、生体データ取得部２４１、指示受付部２４２、設定データ生成部３０１、生体データ付与部３０２、データ記憶部３０３、設定データ検索部３０４、および画像データ取得部３０５を有する。これらの機能ブロックは、制御部１１１において、例えばCPUがROMより読み出したプログラムやデータをRAMにロードし、実行することにより実現される。
【０１１９】
設定データ生成部３０１は、指示受付部２４２が入力部１３１を介して受け付けたユーザ指示の通りに、撮像装置１００の設定データを生成する。生体データ付与部３０２は、生体データ取得部２４１が指紋検出部１２６を介して取得した生体データを、設定データ生成部３０１により生成された設定データに付与する。データ記憶部３０３は、生体データ付与部３０２により生体データが付与された設定データを記憶部１２４に記憶させる。設定データ検索部３０４は、生体データ取得部２４１により指紋検出部１２６を介して取得された生体データに対応する設定データを記憶部１２４から読み出す。画像データ取得部３０５は、設定に従って光学部１２１乃至表示部１２５を制御して、被写体を撮像させ、撮像画像の画像データを取得する。
【０１２０】
このような制御部１１１により実行される設定データ生成処理の流れの一実施の形態を、図１６のフローチャートを参照して説明する。
【０１２１】
設定を行うユーザは、指紋検出部１２６に指１２の指紋を検出させ、設定登録の指示を入力部１３１に入力する。生体データ取得部２４１は、ステップＳ１８１において、指紋検出部１２６を制御して、設定を行うユーザの生体データを取得する。指示受付部２４２は、ステップＳ１８２において、入力部１３１を介して入力されるユーザ指示を受け付ける。
【０１２２】
なお、指紋検出部１２６が、入力部１３１に対して設定登録の指示を入力するユーザの指１２の指紋を検出するようにしてもよい。その場合、ステップＳ１８１の処理がステップＳ１８２の処理と並行して実行されるようにしてもよい。
【０１２３】
設定データの登録を指示するユーザ指示が受け付けられると、設定データ生成部３０１は、ステップＳ１８３において、撮像装置１００の設定が行われる設定画面を表示部１２５に表示させる。ユーザは、その設定画面に従って入力部１３１を操作し、設定値を入力する。指示受付部２４２は、ステップＳ１８４において、その設定画面に対して入力部１３１に入力される、撮像装置１００の設定に関するユーザ指示を受け付ける。
【０１２４】
なお、指紋検出部１２６が、入力部１３１に対して撮像装置１００の設定に関するユーザ指示を入力するユーザの指１２の指紋を検出するようにしてもよい。その場合、ステップＳ１８１の処理がステップＳ１８３の処理と並行して実行されるようにしてもよい。
【０１２５】
設定データ生成部３０１は、ステップＳ１８５において、ステップＳ１８４の処理により受け付けられたユーザ指示に基づいて撮像装置１００の設定を行い、その設定データを生成する。生体データ付与部３０２は、ステップＳ１８６において、ステップＳ１８５において生成された設定データに、ステップＳ１８１において生成された生体データを付与する。データ記憶部３０３は、ステップＳ１８７において、生体データが付与された設定データを記憶部１２４に記憶させる。
【０１２６】
図１７は、以上のような処理により生成された設定データの一実施の形態を示す模式図である。
【０１２７】
図１７に示されるように、テーブル情報３１１においては、予め生体データと関連付けて登録されたユーザ（撮影者）毎に、撮像装置１００の設定情報が登録されている。設定情報には、例えば、ズーム、フォーカス、フラッシュ、ホワイトバランス、露出補正、赤目補正、ファイルサイズ（画像解像度）、および撮影モード等の、主に撮像に関する項目が用意されている。
【０１２８】
［設定制御利用］
制御部１１１は、例えば撮像時において、ユーザに生体データを入力させ、取得したユーザの生体データに基づいて、撮影者を特定し、その撮影者に対応する各種設定を読み出し、定義することができる。したがって、利用者は、自分自身の生体データを入力するだけで、より容易に撮像装置１００の設定を行うことができる。
【０１２９】
この場合も、上述したように、撮像により得られた画像データにユーザの生体データが付与されるようにしてもよい。このとき、生体データは設定データの選択のために取得されるので、制御部１１１は、その生体データを画像データに付与することが出来る。
【０１３０】
このような撮像処理の流れの一実施の形態を図１８のフローチャートを参照して説明する。
【０１３１】
ユーザは、被写体１１を撮像する際に、撮像装置１００の動作モードを撮像モードにし、自分自身の指１２の指紋を、指紋検出部１２６に検出させて予め登録してある撮像に関する設定を読み出させて適用させる。
【０１３２】
撮像モードになると撮像処理が開始され、生体データ取得部２４１は、ステップＳ２０１において、指紋検出部１２６を制御して、ユーザの生体データを取得する。設定データ検索部３０４は、ステップＳ２０２において、生体データに対応する設定データを読み出し、その設定に従って各部を制御する。設定が完了すると、設定データ検索部３０４は、ステップＳ２０３において、例えば表示部１２５を制御し、設定完了を通知する。
【０１３３】
設定が完了すると、ユーザは、例えばレリーズボタンを押下する等して撮像を指示するユーザ指示を入力部１３１に入力する。指示受付部２４２は、ステップＳ２０４において、被写体１１の撮像を指示するユーザ指示を受け付ける。
【０１３４】
ステップＳ２０４において、撮像を指示するユーザ指示が受け付けられると、画像データ取得部３０５は、ステップＳ２０５において、光学部１２１乃至表示部１２５を制御し、被写体を撮像し、画像データを生成する。
【０１３５】
生体データ付与部３０２は、ステップＳ２０６において、ステップＳ２０５において取得された画像データに、ステップＳ２０１において設定データ選択のために取得された生体データを付与する。データ記憶部３０３は、ステップＳ２０７において、生体データが付与された画像データを記憶部１２４に記憶させる。
【０１３６】
図１９は、撮像設定の表示の一実施の形態を説明するための模式図である。撮像装置１００のディスプレイ（表示部１２５）には、取り込み画像３２１とともに、撮像に関する各種設定の設定値３２２が表示される。例えば、生体データが取得される前、すなわち、撮影者が特定されていない状態において、設定値３２２は、図１９のように、焦点距離調整方式（FOCUS）、照明（FLASH）、ホワイトバランス調整（WB）等の設定が「自動（AUTO）」に設定されている。
【０１３７】
図２０は、撮像設定の表示の、他の実施の形態を説明するための模式図である。例えば、ユーザがレリーズボタン３２３を押下すると、そのレリーズボタン３２３を押下した指１２の指紋が指紋検出部１２６により検出され、撮影者が特定される。撮影者が特定されると、その撮影者の設定が読み出されて適用され、その設定値３２２が表示される。図２０の例の場合、照明（FLASH）の設定が「禁止」、ホワイトバランス調整（WB）の設定が「太陽光」に変更されている。
【０１３８】
このようにすることにより、ユーザは、被写体を撮像するためにレリーズボタンを押下するだけで、設定のための操作を行わなくても、ユーザの生体データが検出され、その生体データを用いてユーザに割り当てられている設定が適用され、撮像が行われるようにすることができる。つまり、ユーザは予め登録してある設定を容易に適用することができる。また、図１９や図２０に示されるように、撮像装置１００が、現在適用されている設定値を表示することにより、ユーザは容易に設定値の確認を行うことができる。
【０１３９】
なお、生体データを関連付ける設定項目は任意であり、上述した以外のものであってもよい。
【０１４０】
また、生体データ取得の方法は任意である。例えば、レリーズボタン３２３とは異なる場所において指紋検出が行われるようにしてもよい。例えば、ユーザが、レリーズボタン３２３を押下する前に決定ボタンを操作すると、その指１２の指紋が検出されるようにしてもよい。この場合、例えば、レリーズボタン３２３を押下された時点において、最後に決定ボタンを操作した指１２の指紋に対応する設定が適用されることになる。さらに例えば、ファインダーを覗いている瞳の虹彩認証を常時行い、随時「最も直前に虹彩認証で特定されたユーザの設定値」を適用しておいてもよい。
【０１４１】
また、設定値は、ユーザの指毎に登録することができるようにしてもよい。例えば、親指、人差し指、中指、薬指、および小指のそれぞれに互いに異なる設定値を割り当てることができるようにしてもよい。このようにすることにより、ユーザは、指紋を入力する指を変えるだけで、容易に、適用させる設定値を変更することができる。
【０１４２】
さらに、複数の指の組み合わせに対して、設定値を割り当てる事ができるようにしても良い。このようにすることにより、ユーザは、さらに多くの設定パターンを登録させることができる。また、１つの生体データに対して複数の設定パターンを登録することができるようにしてもよい。その場合、例えば、生体データに基づいて複数の設定パターンのうちいずれか１つが選択されて読み出され適用されるようにしてもよい。また、生体データに基づいて複数の設定パターンが読み出され、ユーザがその中から選択する事ができるようにしても良い。
【０１４３】
また、例えば、所定の生体データが入力された場合、若しくは、所定の方法で生体データが入力された場合、自分自身の生体データに対して割り当てられた設定値以外の設定値を読み出すことができるようにしてもよい。例えば、小指の指紋が入力された場合、他のユーザの設定値がランダムに読み出されて適用されるようにしてもよい。また、撮像装置１００が適切と判断する設定値が適用されるようにしてもよい。
【０１４４】
＜４．第４の実施の形態＞
［ユーザデータ管理］
撮像装置１００に登録されるユーザの登録情報であるユーザデータに、そのユーザの生体データを付与するようにしてもよい。このようにすることにより、ユーザデータを、そのユーザの生体データを用いて利用することができる。
【０１４５】
図２１は、この場合の制御部１１１の主な構成の、さらに他の実施の形態を示すブロック図である。
【０１４６】
図２１に示される撮像装置１００において、制御部１１１は、機能ブロックとして、生体データ取得部２４１、指示受付部２４２、ユーザデータ生成部３３１、生体データ付与部３３２、ユーザデータ記憶部３３３、ユーザデータ削除部３３４、およびユーザデータ検索部３３５を有する。これらの機能ブロックは、制御部１１１において、例えばCPUがROMより読み出したプログラムやデータをRAMにロードし、実行することにより実現される。
【０１４７】
ユーザデータ生成部３３１は、指示受付部２４２により受け付けられるユーザ指示に従って、ユーザデータを生成する。ユーザデータは、ユーザの登録情報であり、例えば、ユーザを識別するユーザID、ユーザが属するグループを識別するグループID等を含む情報である。生体データ付与部３３２は、生体データ取得部２４１が取得した生体データを、ユーザデータ生成部３３１により生成されたユーザデータに付与する。ユーザデータ記憶部３３３は、生体データ付与部３０２により生体データが付与されたユーザデータを記憶部１２４に記憶させる。
【０１４８】
ユーザデータ削除部３３４は、指示受付部２４２により受け付けられたユーザ指示に従って、記憶部１２４に記憶されているユーザデータを削除する。ユーザデータ検索部３３５は、記憶部１２４に記憶されているユーザデータの中から、例えばユーザデータ削除部３３４が所望するユーザデータを検索する。
【０１４９】
このような制御部１１１により実行されるユーザデータ生成処理の流れの一実施の形態を、図２２のフローチャートを参照して説明する。
【０１５０】
ユーザ登録を行うユーザは、指紋検出部１２６に指１２の指紋を検出させ、ユーザに関する情報をユーザ指示として入力部１３１に入力する。生体データ取得部２４１は、ステップＳ２２１において、指紋検出部１２６を制御して、ユーザ登録を行うユーザの生体データを取得する。指示受付部２４２は、ステップＳ２２２において、入力部１３１を介して入力される、ユーザに関する情報等のユーザ指示を受け付ける。
【０１５１】
なお、指紋検出部１２６が、入力部１３１に対してユーザ指示を入力するユーザの指１２の指紋を検出するようにしてもよい。その場合、ステップＳ２２１の処理がステップＳ２２２の処理と並行して実行されるようにしてもよい。
【０１５２】
ユーザデータ生成部３３１は、ステップＳ２２３において、ステップＳ２２２において受け付けられたユーザ指示に基づいてユーザデータを生成する。ユーザデータ生成部３３１は、ステップＳ２２４において、ステップＳ２２２において受け付けられたユーザ指示により登録が要求されたユーザが既存のユーザであるか否かを判定する。生体データは例えば指ごとに登録が可能であり、ユーザデータも１ユーザに対して複数生成することができる。
【０１５３】
既に登録済みのユーザであると判定された場合、処理は、ステップＳ２２５に進む。ステップＳ２２５において、ユーザデータ生成部３３１は、そのユーザが属する既存のグループIDを割り当てる。ステップＳ２２５の処理が終了すると、処理はステップＳ２２７に進む。
【０１５４】
また、ステップＳ２２４において、ステップＳ２２２において受け付けられたユーザ指示により登録が要求されたユーザが新規のユーザであると判定された場合、処理はステップＳ２２６に進む。ユーザデータ生成部３３１は、ステップＳ２２６において、新規のグループIDを割り当てる。ステップＳ２２６の処理が終了すると、処理はステップＳ２２７に進む。
【０１５５】
生体データ付与部３３２は、ステップＳ２２７において、ユーザデータに生体データを付与する。ユーザデータ記憶部３３３は、ステップＳ２２８において、ステップＳ２２７において生体データが付与されたユーザデータを記憶する。ステップＳ２２８の処理が終了すると、ユーザデータ生成処理が終了する。
【０１５６】
図２３は、ユーザの識別情報と生体データの関係を示すテーブル情報を説明するための模式図である。図２３に示されるテーブル情報３４１は、生体データが付与されたユーザデータの集合であり、各ユーザの識別情報に生体データがそれぞれ関連付けられている。
【０１５７】
例えば、ユーザIDが「１」のユーザには、生体データID「１」乃至「３」の３つの生体データが関連付けられている。各生体データには、例えばOS（Operating System）のユーザIDやグループIDが割り当てられる。図２３に示される実施の形態の場合、OSのユーザIDによって各生体データが識別され、OSのグループIDによって各ユーザが識別されるようになされている。
【０１５８】
なお、図２３に示される実施の形態の場合、テーブル情報３４１に、各生体データの特徴量が登録されている。この特徴量はどのようなものであってもよく、例えば指紋の画像データであってもよい。また、例えば生体データの保存先のリンク情報等、生体データと等価の情報であっても良い。
【０１５９】
ちなみに、各生体データ特徴量の値で示されるとおり、生体データIDは、各ユーザに割り当てられた生体データを識別する情報である。例えば、ユーザID「１」に関連付けられた生体データID「１」は、ユーザID「１」のユーザの生体データの１つを示す識別情報であり、その生体データ特徴量は、「8.273」である。また、例えば、ユーザID「２」に関連付けられた生体データID「２」は、ユーザID「２」のユーザの生体データの１つを示す識別情報であり、その生体データ特徴量は、「2.358」である。つまり、これらの生体データIDは、ともに値が「１」ではあるものの、互いに異なる生体データを示す。
【０１６０】
なお、図２３に示されるユーザID「９９」のように、登録されているユーザ以外のユーザのユーザIDを設けるようにしてもよい。
【０１６１】
図２４のフローチャートを参照して、このようなユーザデータを削除するユーザデータ削除処理の流れの一実施の形態を説明する。
【０１６２】
ユーザデータの削除を行うユーザは、指紋検出部１２６に指１２の指紋を検出させ、ユーザデータ削除の指示を入力部１３１に入力する。生体データ取得部２４１は、ステップＳ２４１において、指紋検出部１２６を制御して、ユーザデータの削除を行うユーザの生体データを取得する。指示受付部２４２は、ステップＳ２４２において、入力部１３１を介して入力されるユーザ指示を受け付ける。
【０１６３】
なお、指紋検出部１２６が、入力部１３１に対してユーザデータ削除の指示を入力するユーザの指１２の指紋を検出するようにしてもよい。その場合、ステップＳ２４１の処理がステップＳ２４２の処理と並行して実行されるようにしてもよい。
【０１６４】
ユーザデータの削除を指示するユーザ指示が受け付けられると、ユーザデータ削除部３３４は、ステップＳ２４３において、ユーザ指示により指定されるユーザデータを削除する。ユーザデータ検索部３３５は、ステップＳ２４４において、ステップＳ２４３において削除されたユーザデータとグループIDが同一のユーザデータが存在するか否かを判定する。同一グループIDのユーザデータが存在すると判定された場合、処理はステップＳ２４５に進む。
【０１６５】
ユーザデータ削除部３３４は、ステップＳ２４５において、ユーザデータを削除するか否かを判定する。例えばユーザ指示等に基づいて、そのユーザデータを削除すると判定された場合、処理はステップＳ２４３に戻り、それ以降の処理が繰り返される。ステップＳ２４５においてユーザデータを削除しないと判定された場合、または、ステップＳ２４４において同一グループIDのユーザデータが存在しないと判定された場合、ユーザデータ削除処理が終了する。
【０１６６】
以上のように、ユーザは、生体データを用いて、ユーザデータの登録や削除を容易に行うことができる。
【０１６７】
＜５．第５の実施の形態＞
［ユーザデータと設定の関連付け］
以上のようなユーザデータを他の情報と関連付けるようにしてもよい。例えば、上述した撮像装置１００の設定データを、ユーザデータと関連付けるようにしてもよい。
【０１６８】
図２５は、撮像設定のテーブル情報とユーザデータのテーブル情報との関連付けの様子の一実施の形態を説明するための模式図である。
【０１６９】
図２５に示される設定データ３５１は、撮像装置１００の例えば撮像に関する設定を示すテーブル情報である。この設定データ３５１は、基本的に図１７を参照して説明したテーブル情報３１１と同様である。つまり、例えば、ズーム、フォーカス、フラッシュ、ホワイトバランス、露出補正、赤目補正、ファイルサイズ（画像解像度）、および撮影モード等の、主に撮像に関する設定項目について、それぞれの値が表データとしてまとめられている。ただし、表データ３１１の場合、各設定項目の設定値が、生体データ毎にまとめられているが、設定データ３５１は、設定値ID毎にまとめられている。つまり、設定値IDは、各設定項目の設定値の組み合わせの識別情報である。設定データ３５１の各設定値ID（設定値の組み合わせ）には、生体データそのものは直接関連付けられていない。
【０１７０】
生体データは、ユーザデータ３５２において管理される。ユーザデータ３５２は、図２３を参照して説明したテーブル情報３４１と同様の情報である。つまり、ユーザデータ３５２は、ユーザ毎に生体データを管理する情報である。ユーザIDは、ユーザを識別する情報であり、生体データIDは、各ユーザの生体データを識別する情報である。OSのユーザIDおよびOSのグループIDは、OSが各生体データに割り当てるユーザIDとグループIDである。生体データ特徴量は、各生体データの特徴量を示す。
【０１７１】
図２３の場合と同様に、ユーザデータ３５２においても、生体データIDは、１ユーザの生体データを識別する情報である。したがって、例えば、ユーザID「１」の生体データID「１」の生体データ（生体データ特徴量「8.273」）と、ユーザID「２」の生体データID「２」の生体データ（生体データ特徴量「2.358」）は、互いに異なる。このことは、図２６以降においても同様である。
【０１７２】
図２５の例の場合、設定データ３５１の設定値IDがユーザデータ３５２に登録されることにより、ユーザデータに登録される各ユーザに、設定データ３５１に登録される設定値の組み合わせが関連付けられている。
【０１７３】
例えば、ユーザデータ３５２において、ユーザID「１」の各生体データには、設定値ID「１」が登録されている。つまり、ユーザID「１」のユーザには、設定値ID「１」の設定値の組み合わせが割り当てられている。したがって、例えば、ユーザID「１」のユーザが、生体データID「１」乃至「３」の生体データ（指紋）を指紋検出部１２６に検出させると、撮像装置１００の設定として、設定値ID「１」の各設定値が読み出され、適用される。
【０１７４】
また、例えば、ユーザデータ３５２において、ユーザID「２」の生体データには、設定値ID「２」が登録されている。つまり、ユーザID「２」のユーザには、設定値ID「２」の設定値の組み合わせが割り当てられている。したがって、例えば、ユーザID「２」のユーザが、生体データID「１」の生体データ（指紋）を指紋検出部１２６に検出させると、撮像装置１００の設定として、設定値ID「２」の各設定値が読み出され、適用される。
【０１７５】
さらに、例えば、ユーザデータ３５２において、ユーザID「３」の生体データには、設定値ID「３」が登録されている。つまり、ユーザID「３」のユーザには、設定値ID「３」の設定値の組み合わせが割り当てられている。したがって、例えば、ユーザID「３」のユーザが、生体データID「１」または「２」の生体データ（指紋）を指紋検出部１２６に検出させると、撮像装置１００の設定値として、設定値ID「３」の各設定値が読み出され、適用される。
【０１７６】
このように、ユーザデータ３５２を利用することにより、設定データ３５１の各設定値ID（設定値の組み合わせ）の、ユーザに対する関連付け（つまり、ユーザ単位での関連付け）を容易に実現することができる。
【０１７７】
なお、設定値ID（設定値の組み合わせ）の割り当てを、生体データ単位で行うようにしてももちろんよい。また、１つの設定値ID（設定値の組み合わせ）を、複数のユーザの生体データに割り当てるようにしてもよい。
【０１７８】
図２６は、撮像設定のテーブル情報とユーザデータのテーブル情報との関連付けの様子の、他の実施の形態を説明するための模式図である。
【０１７９】
図２６に示されるユーザデータ３５３の場合、設定値ID（設定値の組み合わせ）が、生体データ単位で割り当てられている。つまり、１ユーザの各生体データに対して互いに異なる設定値ID（設定値の組み合わせ）を割り当てることができる。例えば、ユーザデータ３５３のユーザID「１」において、生体データID「１」の生体データには設定値ID「１」が登録され、生体データID「２」の生体データには設定値ID「４」が登録され、生体データID「３」の生体データには設定値ID「５」が登録されている。
【０１８０】
また、例えば、ユーザデータ３５３のユーザID「３」において、生体データID「１」の生体データには設定値ID「３」が登録され、生体データID「２」の生体データには設定値ID「２」が登録されている。
【０１８１】
また、１つの設定値ID（設定値の組み合わせ）を複数の生体データや複数のユーザに割り当てることもできる。例えば、ユーザデータ３５３のユーザID「２」の生体データID「１」の生体データと、ユーザID「３」の生体データID「２」の生体データの両方に、設定値ID「２」が登録されている。つまり、互いに異なる複数の生体データに、互いに同一の設定値ID（設定値の組み合わせ）が関連付けられている。
【０１８２】
以上のように、生体データを設定値データとは別のユーザデータにおいて管理することにより、ユーザデータに登録される設定値IDを変更するだけで、設定値データに関連付ける生体データを容易に変更することができる。つまり、撮像装置１００は、設定値と生体データを、容易に、より多様な方法で関連付けることができる。
【０１８３】
もちろん、設定データ以外の任意のデータをユーザデータに関連付けることができる。
【０１８４】
また、以上のように、ユーザデータ（生体データ）を一元管理することで、制御部１１１は、各種データの作成、更新、削除等の処理を容易に行うことができる。また、ユーザデータが他のデータと分けて管理されるので、制御部１１１は、ユーザデータに関連付けられる他のデータを更新せずに、ユーザデータのみを更新することができる。
【０１８５】
さらに、例えば、ユーザデータを複製するだけで、設定データ等のユーザデータに関連付けられたデータを容易に他の生体データに継承させることができる。例えば、ユーザＡのユーザデータを複製してユーザＢのユーザデータとすることにより、ユーザＡのユーザデータに関連付けられていた設定値をユーザＢのユーザデータにも関連付けることができる。このようなユーザデータ複製処理の流れの一実施の形態を図２７のフローチャートを参照して説明する。
【０１８６】
ユーザデータを複製する場合、最初に、複製元のユーザＡが指紋検出部１２６にユーザＡの指１２の指紋を検出させる。次に、ユーザＡまたはユーザＢが入力部１３１を操作してユーザデータの複製を指示する。次に、複製先のユーザＢが指紋検出部１２６にユーザＢの指１２の指紋を検出させる。
【０１８７】
以上の作業に対して、生体データ取得部２４１は、ステップＳ２６１において、指紋検出部１２６を制御し、複製元のユーザＡの生体データを取得する。指示受付部２４２は、ステップＳ２６２において、入力部１３１を介して入力されるユーザデータ複製の指示を受け付ける。生体データ取得部２４１は、ステップＳ２６３において、指紋検出部１２６を制御し、複製先のユーザＢの生体データを取得する。
【０１８８】
ユーザデータ生成部３３１は、ステップＳ２６４において、ユーザＡのユーザデータを複製し、その複製されたユーザデータのユーザIDをユーザＢのユーザIDに変更する。生体データ付与部３３２は、ステップＳ２６５において、複製されたユーザデータのユーザＡの生体データを、ユーザＢの生体データに置き換える。ユーザデータ記憶部３３３は、ステップＳ２６６において、更新されたユーザデータを記憶部１２４に記憶させ、表示部１２５を制御して処理終了をユーザに通知する。ステップＳ２６６の処理が終了すると、ユーザデータ複製処理が終了する。
【０１８９】
このようにすることにより、制御部１１１は、例えば、ユーザＡと同一の設定値に関連付けられたユーザＢのユーザデータ（生体データ）を、容易に生成することができる。
【０１９０】
図２８は、撮像設定のテーブル情報とユーザデータのテーブル情報との関連付けの様子の、さらに他の実施の形態を説明するための模式図である。
【０１９１】
例えば、図２８に示されるように設定データ３５１とユーザデータ３５４が関連付けられているとする。制御部１１１は、この状態から、例えば図２６に示されるように、ユーザID「３」の生体データID「２」の生体データを新規に生成する場合、上述したように、既存のユーザID「２」の生体データID「１」のデータを複製する。このときの、更新し終わったときの設定データの一例が図26(353)である。このようにすることにより制御部１１１は、既存の生体データ（ユーザID「２」の生体データID「１」の生体データ）の関連付けを継承した、新規の生体データ（ユーザID「３」の生体データID「２」の生体データ）を生成することができる。
【０１９２】
もちろん、上述したように生体データの置き換え（生体データ特徴量等の置き換え）は行われる。つまり、制御部１１１は、OSのユーザID、OSのグループID、および生体データ特徴量等を変更する。したがって、新たに生成されたユーザID「３」の生体データID「２」は、複製元のユーザID「２」の生体データID「１」とは異なる生体データを示す。
【０１９３】
このように制御部１１１がユーザデータを更新するだけで、ユーザは、他のユーザの設定値を利用することができる。したがって、ユーザは、他のユーザの設定値を真似して各設定を一つずつ入力する必要がなく、容易に設定作業を行うことができる。例えば、「デジタルスチルカメラに父が設定した、父の親指の指紋により使える「撮影用設定値」を、母の親指の指紋によっても使えるようにする」といったことを容易に実現することができる。
【０１９４】
［他の装置とのユーザデータの授受］
なお、このようなユーザデータの複製は、複数の装置の間で行うこともできる。例えば、「撮像装置１００Ａの、自分の生体データに関連付けられた設定値を、他の撮像装置１００Ｂにおいて、友人の生体データでも使えるようにする」ということも可能である。
【０１９５】
図２９は、この場合の撮像装置１００Ａおよび撮像装置１００Ｂの主な構成の、さらに他の実施の形態を示す機能ブロック図である。
【０１９６】
図２９に示されるように、撮像装置１００Ａの制御部１１１Ａは、機能ブロックとして、生体データ取得部２４１Ａ、指示受付部２４２Ａ、ユーザデータ供給部３６１、通知取得部３６２、および通知表示部３６３を有する。
【０１９７】
これらの機能ブロックは、制御部１１１において、例えばCPUがROMより読み出したプログラムやデータをRAMにロードし、実行することにより実現される。
【０１９８】
ユーザデータ供給部３６１は、指示受付部２４２Ａにより受け付けられたユーザ指示に基づいて、生体データ取得部２４１Ａにより取得された生体データのユーザデータを、通信部１３３Ａを介して、撮像装置１００Ｂに供給する。通信部１３３Ａは、通信媒体３６０を介して、撮像装置１００Ｂの通信部１３３Ｂと通信を行う。通信媒体３６０は、例えば、伝送ケーブルやネットワーク等の有線の通信媒体、または、空間等の無線の通信媒体を示す。
【０１９９】
通知取得部３６２は、撮像装置１００より供給される通知を、通信部１３３Ａを介して取得する。通知表示部３６３は、通知取得部３６２により取得された通知を、表示部１２５に表示させる。
【０２００】
また、撮像装置１００Ｂの制御部１１１Ｂは、生体データ取得部２４１Ｂ、指示受付部２４２Ｂ、ユーザデータ取得部３７１、通知供給部３７２、およびユーザデータ更新部３７３を有する。
【０２０１】
ユーザデータ取得部３７１は、撮像装置１００Ａより供給されるユーザデータを、通信部１３３Ｂを介して取得する。通知供給部３７２は、ユーザデータ取得部３７１がユーザデータを取得したことを示す通知を、通信部１３３Ｂを介して撮像装置１００Ｂに通知する。ユーザデータ更新部３７３は、撮像装置１００Ｂのユーザデータの更新を行う。
【０２０２】
このような複数の装置間のユーザデータ複製処理の流れの実施の形態を図３０のフローチャートを参照して説明する。
【０２０３】
ユーザデータを複製する場合、撮像装置１００ＡのユーザＡは、指紋検出部１２６Ａに生体データ（指紋）を検出させ、さらに、入力部１３１Ａを操作して、ユーザデータ複製を指示する。
【０２０４】
このような操作に対して、生体データ取得部２４１Ａは、ステップＳ２８１において、指紋検出部１２６Ａを制御し、ユーザＡの生体データを取得する。指示受付部２４２Ａは、ステップＳ２８２において、入力部１３１を介して入力されるユーザＡのユーザ指示を受け付ける。そのユーザ指示によりユーザデータの複製が指示されると、ユーザデータ供給部３６１は、ステップＳ２８３において、ユーザデータを、通信部１３３Ａを介して撮像装置１００Ｂに供給する。
【０２０５】
これに対して、撮像装置１００ＢのユーザＢは、指紋検出部１２６Ｂに生体データ（指紋）を検出させ、さらに、入力部１３１Ｂを操作して、ユーザデータ受信を指示する。
【０２０６】
このような操作に対して、生体データ取得部２４１Ｂは、ステップＳ３０１において、指紋検出部１２６Ｂを制御し、ユーザＢの生体データを取得する。指示受付部２４２Ｂは、ステップＳ３０２において、入力部１３１を介して入力されるユーザＢのユーザ指示を受け付ける。そのユーザ指示によりユーザデータの受信が指示されると、ユーザデータ取得部３７１は、ステップＳ３０３において、撮像装置１００Ａより供給されるユーザデータを取得する。
【０２０７】
ユーザデータを取得すると、通知供給部３７２は、ステップＳ３０４において、通信部１３３Ｂを制御し、受信完了通知を撮像装置１００Ａに供給する。通知取得部３６２は、ステップＳ２８４において、その撮像装置１００Ｂより供給される受信完了通知を、通信部１３３Ｂを介して取得する。通知表示部３６３は、ステップＳ２８５において、表示部１２５Ａを制御し、処理終了をユーザＡに通知する。
【０２０８】
また、撮像装置１００Ｂのユーザデータ更新部３７３は、ステップＳ３０５において、ステップＳ３０３において取得されたユーザデータのユーザIDをユーザＢのユーザIDに変更する。ユーザデータ更新部３７３は、ステップＳ３０６において、ステップＳ３０３において取得されたユーザデータの生体データをユーザＢの生体データに置き換える（更新する）。ユーザデータ更新部３７３は、ステップＳ３０７において、表示部１２５を制御し、処理終了をユーザＢに通知する。
【０２０９】
このようにすることにより、制御部１１１は、容易に、他の装置にユーザデータを供給したり、他の装置からユーザデータを取得したりすることができる。
【０２１０】
なお、制御部１１１は、例えば、全ユーザデータを他の装置に供給することができるようにしてもよい。
【０２１１】
また、以上のようなユーザデータの複製は、同一ユーザの互いに異なる生体データ間で行うようにしてもよい。例えば、制御部１１１が、あるユーザの親指に割り当てられたユーザデータを複製し、そのユーザの人差し指のユーザデータを生成することができるようにしてもよい。
【０２１２】
［ユーザデータと操作と設定の関連付け］
また、ユーザデータに関連付けられた設定値を読み出す際の操作方法が、ユーザデータにおいて定義されるようにしてもよい。図３１は、撮像設定のテーブル情報とユーザデータのテーブル情報との関連付けの様子の、さらに他の実施の形態を説明するための模式図である。図３１に示されるように、ユーザデータ３５５においては、各ユーザデータ（生体データ）には、設定値IDが関連付けられているだけでなく、設定値を読み出すための操作方法（操作内容）が定義されている。
【０２１３】
例えば、ユーザデータ３５５には、ユーザID「１」のユーザが、生体データID「１」を指紋検出部１２６に検出させ、決定ボタンを「１回押し」することにより、設定値ID「１」の設定値が読み出されて適用されるように示されている。
【０２１４】
このように、設定値を読み出させるのに、生体データの入力だけでなく、所定の操作を必要とすることにより、誤操作により設定値が読み出されるのを抑制することができる。
【０２１５】
なお、以上においては、ユーザデータに他のデータのIDを関連付けるように説明したが、逆に、設定データ等の他のデータに、ユーザIDを関連付けることにより、他のデータとユーザデータを関連付けるようにしてもよい。
【０２１６】
また、以上においては、生体データIDがユーザ毎に独立して設定される識別情報であり、互いに異なるユーザに属する値が同一の生体データIDは、互いに異なる生体データを示すように説明した。しかしながら、これに限らず、生体データIDが、全てのユーザの生体データを識別する情報であるようにしてもよい。例えば、生体データが指紋であるとしたときに、生体データIDによって、どのユーザのどの指の指紋であるかまで識別することができるようにしてもよい。
【０２１７】
＜６．第６の実施の形態＞
［コマンド実行制御］
また、制御部１１１において実行されるコマンドの実行可否設定に生体データを関連付けるようにしてもよい。つまり、各種コマンドが実行可能であるか否かを、予めユーザ毎に設定しておき、その設定に各ユーザの生体データを関連付けておく。このようにすることにより、制御部１１１は、コマンド実行時において、ユーザの生体データを用いて、そのユーザがコマンドを実行可能であるか否かを容易に把握することができる。なお、コマンド実行可否設定に生体データを付与する方法は、上述した、設定データに生体データを付与する場合と同様であるので、その説明を省略する。
【０２１８】
以下に、コマンド実行時のコマンド実行可否判定について説明する。
【０２１９】
図３２は、制御部の主な構成の、さらに他の実施の形態を示すブロック図である。図３２において、制御部１１１は、機能ブロックとして、生体データ取得部２４１、指示受付部２４２、コマンド実行可否判定部４０１、および処理実行部４０２を有する。これらの機能ブロックは、制御部１１１において、例えばCPUがROMより読み出したプログラムやデータをRAMにロードし、実行することにより実現される。
【０２２０】
コマンド実行可否判定部４０１は、生体データ取得部２４１により取得されたユーザの生体データを用いて、指示受付部２４２により受け付けられたユーザ指示により指定されるコマンドの実行をユーザが許可されているか否かを判定する。
【０２２１】
処理実行部４０２は、コマンド実行可否判定部４０１によりコマンドの実行が可能と判定された場合、そのコマンドを実行する。
【０２２２】
各種コマンド実行の可否判定の設定は、例えば、図３３に示されるテーブル情報４１１としてまとめられ、記憶部１２４等に記憶されて管理される。図３３に示されるテーブル情報４１１において、各コマンドの実行可否がユーザ毎に設定されている。また、各コマンドの実行を指示する操作方法が、ユーザ毎に設定されている。例えば、図３３に記載される「シャッター」は、レリーズボタンを操作することを示しており、「決定」は決定ボタンを操作することを示している。なお、「×」は、実行禁止であることを示している。
【０２２３】
例えば、ユーザ「Ａ」は、レリーズボタンを操作するか、決定ボタンを操作することにより、「撮影」コマンドの実行を指示することができるが、ユーザ「Ｂ」は、レリーズボタンを操作することでしか「撮影」コマンドの実行を指示することができない。また、例えば、ユーザ「Ｂ」は、他のユーザの設定を変更することができない。
【０２２４】
このような各ユーザの各コマンドの実行可否の設定を示すテーブル情報４１１は、例えば、上述したユーザデータに関連付けられるか、または、テーブル情報４１１に各ユーザの生体データ若しくは生体データと等価のデータが付加される。したがって、コマンド実行可否判定部４０１は、容易に、入力された生体データとユーザ指示に基づいて、所望のコマンドの実行可否判定を行うことができる。
【０２２５】
このようなコマンドの実行可否判定を行うためのコマンド実行制御処理の流れの一実施の形態を、図３４のフローチャートを参照して説明する。
【０２２６】
コマンドの実行を指示するユーザは、指紋検出部１２６に指１２の指紋を検出させ、実行するコマンドを指定する指示を入力部１３１に入力する。生体データ取得部２４１は、ステップＳ３２１において、指紋検出部１２６を制御して、ユーザの生体データを取得する。指示受付部２４２は、ステップＳ３２２において、入力部１３１を介して入力されるユーザ指示を受け付ける。
【０２２７】
なお、指紋検出部１２６が、入力部１３１に対してユーザ指示を入力するユーザの指１２の指紋を検出するようにしてもよい。その場合、ステップＳ３２１の処理がステップＳ３２２の処理と並行して実行されるようにしてもよい。
【０２２８】
コマンド実行可否判定部４０１は、ステップＳ３２３において、ステップＳ３２１において取得された生体データのユーザが、ステップＳ３２２において受け付けたユーザ指示により指定されるコマンドの実行を許可されているか否かを判定する。許可されていると判定された場合、処理はステップＳ３２４に進む。処理実行部４０２は、ステップＳ３２４において、ステップＳ３２２において受け付けたユーザ指示により指定されるコマンドに対応する処理を実行する。ステップＳ３２４の処理が終了すると、コマンド実行制御処理が終了する。また、ステップＳ３２３において、ユーザが、ステップＳ３２２において受け付けたユーザ指示により指定されるコマンドの実行を許可されていないと判定された場合、そのコマンドは実行されず、コマンド実行制御処理が終了する。
【０２２９】
このようにすることにより、制御部１１１は、容易に、コマンドの実行をユーザ毎に制御することができる。これにより、ユーザは、容易に、コマンドを正しく実行することができる。
【０２３０】
なお、このように実行制御が全てのコマンドに対して行われるようにしてもよいし、一部のコマンドに対してのみ行われるようにしてもよい。
【０２３１】
また、OSが権限処理機構を有する場合、その権限処理機構を利用して実行制御が行われるようにしてもよい。例えば、制御部１１１は、各コマンドに対してOSのグループIDを割り当て、各生体データに対してOSのユーザIDを割り当て、各ユーザを、自分自身が実行可能な全コマンドのグループに所属させる。このようにすることによりOSを用いて各ユーザを分類することができるので、コマンド実行可否判定部４０１は、より容易にコマンド実行の可否判定を行うことができる。
【０２３２】
この機能を用いることで、例えば、店頭での展示用機器を容易に「機能限定版」にできるため、展示用機器へのいたずらを防ぎやすくなる。
【０２３３】
＜７．第７の実施の形態＞
［リモートコントローラ］
なお、コマンドの指定を行う装置と異なる装置において、その指定されたコマンドが実行されるようにしてもよい。例えば、テレビジョン受像機と、専用のリモートコントローラのように、リモートコントローラで入力されたコマンドが、テレビジョン受像機において実行されるようにしてもよい。
【０２３４】
図３５は、センサの設置位置を説明するための図である。図３５に示されるように、リモートコントローラ４２１の筐体の、通常、そのリモートコントローラ４２１を操作するユーザの手が接触する部分（例えば、枠４２２乃至枠４２５）には、指紋検出部１２６の指紋検出窓２０１が設けられる。つまり、指紋検出部１２６は、通常、リモートコントローラ４２１を操作するユーザの手が接触する部分において、ユーザの指紋（生体データ）を検出する。
【０２３５】
［リモートコントローラにおいて可否判定］
このような構成のシステムにおいて、コマンドの実行可否判定が、リモートコントローラ側において行われるようにしてもよい。図３６は、各デバイスの制御部の主な構成の一実施の形態を示すブロック図である。
【０２３６】
図３６に示されるように、リモートコントローラ４２１は、テレビジョン受像機４３１用のコントローラであり、テレビジョン受像機４３１に対するユーザ指示を受け付ける。リモートコントローラ４２１は、制御部４４１、指紋検出部４４２、入力部４４３、記憶部４４４、ドライブ４４５、および通信部４４６を有する。
【０２３７】
指紋検出部４４２は、上述した指紋検出部１２６に対応し、指紋検出部１２６と基本的に同様の構成を有し、同様の処理を行う。入力部４４３は、上述した入力部１３１に対応し、入力部１３１と基本的に同様の構成を有し、同様の処理を行う。記憶部４４４は、上述した記憶部１２４に対応し、記憶部１２４と基本的に同様の構成を有し、同様の処理を行う。ドライブ４４５は、上述したドライブ１３４に対応し、ドライブ１３４と基本的に同様の構成を有し、同様の処理を行う。
【０２３８】
通信部４４６は、上述した通信部１３３に対応し、通信部１３３と基本的に同様の構成を有し、通信媒体４３０を介してテレビジョン受像機４３１の通信部４６２と通信を行う。なお、この通信媒体４３０は、例えば伝送ケーブルやネットワーク等の有線通信の通信媒体であってもよいし、例えば空間等の無線通信の通信媒体であってもよい。
【０２３９】
制御部４４１は、リモートコントローラ４２１の各部を制御し、処理を実行する。制御部４４１は、上述した制御部１１１と同様に、例えば、CPU、ROM、およびRAM等を有し、リモートコントローラ４２１の動作を制御する各種処理を行う。
【０２４０】
制御部４４１は、機能ブロックとして、生体データ取得部４５１、指示受付部４５２、コマンド実行可否判定部４５３、コマンド符号化部４５４、送信信号加工部４５５、およびコマンド供給部４５６を有する。
【０２４１】
これらの機能ブロックは、制御部４４１において、例えばCPUがROMより読み出したプログラムやデータをRAMにロードし、実行することにより実現される。
【０２４２】
生体データ取得部４５１は、上述した生体データ取得部２４１と同様に、指紋検出部１２６において検出された生体データ（指紋）を取得する。指示受付部４５２は、上述した指示受付部２４２と同様に、入力部４４３を介して入力されるユーザ指示を受け付ける。
【０２４３】
コマンド実行可否判定部４５３は、上述したコマンド実行可否判定部４０１と同様に、例えば、図３３に示されるテーブル情報４１１のような情報を参照し、生体データ取得部４５１において取得された生体データに対応するユーザが、指示受付部４５２において受け付けられたユーザ指示により指定されるコマンドを実行可能か否かを判定する。
【０２４４】
コマンド符号化部４５４は、指示受付部４５２において受け付けられたユーザ指示により指定されるコマンドを符号化する。送信信号加工部４５５は、コマンド実行可否判定部４５３によりコマンドの実行が許可された場合、コマンド符号化部４５４において符号化されたコマンドを、送信信号に埋め込む。コマンド供給部４５６は、送信信号加工部４５５においてコマンドが埋め込まれた信号を、通信部４４６を介してテレビジョン受像機４３１に供給する。
【０２４５】
また、図３６において、テレビジョン受像機４３１は、リモートコントローラ４２１より供給される制御信号に基づいて制御され、放送局より放送されるテレビジョン信号を受信し、その画像を表示する装置である。テレビジョン受像機４３１は、例えば、制御部４６１、通信部４６２、受信部４６３、画像処理部４６４、表示部４６５、記憶部４６６、およびドライブ４６７を有する。
【０２４６】
通信部４６２は、上述した通信部１３３に対応し、通信部１３３と基本的に同様の構成を有し、通信媒体４３０を介してリモートコントローラ４２１の通信部４４６と通信を行う。
【０２４７】
受信部４６３は、放送局等より供給されるテレビジョン信号の放送波を受信し、放送されたテレビジョン信号を得る。画像処理部４６４は、受信部４６３において受信されたテレビジョン信号に対して画像処理を行う。表示部４６５は、上述した表示部１２５に対応し、表示部１２５と基本的に同様の構成を有し、例えば画像処理部４６４において画像処理された画像や制御部４６１から供給された画像等を表示する。
【０２４８】
記憶部４６６は、上述した記憶部１２４に対応し、記憶部１２４と基本的に同様の構成を有し、同様の処理を行い、情報を記憶する。ドライブ４６７は、上述したドライブ１３４に対応し、ドライブ１３４と基本的に同様の構成を有し、同様の処理を行う。
【０２４９】
制御部４６１は、テレビジョン受像機４３１の各部を制御し、処理を実行する。制御部４６１は、上述した制御部１１１と同様に、例えば、CPU、ROM、およびRAM等を有し、テレビジョン受像機４３１の動作を制御する各種処理を行う。
【０２５０】
制御部４６１は、機能ブロックとして、コマンド取得部４７１およびコマンド実行部４７２を有する。これらの機能ブロックは、制御部４６１において、例えばCPUがROMより読み出したプログラムやデータをRAMにロードし、実行することにより実現される。
【０２５１】
コマンド取得部４７１は、リモートコントローラ４２１より供給されるコマンドを、通信部４６２を介して取得する。コマンド実行部４７２は、コマンド取得部４７１により取得されたコマンドを実行する。
【０２５２】
このような構成のシステムにおいて実行されるコマンド実行処理の流れの実施の形態を、図３７のフローチャートを参照して説明する。
【０２５３】
リモートコントローラ４２１の生体データ取得部４５１は、ステップＳ３４１において、指紋検出部４４２を制御し、リモートコントローラ４２１を操作するユーザの生体データ（例えば指１２の指紋）を取得する。指示受付部４５２は、ステップＳ３４２において、入力部４４３を介して入力されるユーザ指示を受け付ける。
【０２５４】
コマンド実行可否判定部４５３は、ステップＳ３４３において、ステップＳ３４１において取得された生体データのユーザについて、ステップＳ３４２において受け付けられたユーザ指示により指定されるコマンドの実行可否判定を行う。コマンド符号化部４５４は、ステップＳ３４４において、そのコマンドを符号化する。送信信号加工部４５５は、コマンドが実行可能であると判定された場合、ステップＳ３４５において、送信信号を加工し、符号化されたコマンドを信号内に埋め込む。コマンド供給部４５６は、ステップＳ３４６において、コマンドが埋め込まれた送信信号を、通信部４４６を介してテレビジョン受像機４３１に送信する。
【０２５５】
テレビジョン受像機４３１のコマンド取得部４７１は、ステップＳ３６１において、リモートコントローラ４２１より供給される送信信号を、通信部４６２に受信させ、送信信号に含まれるコマンドを取得する。コマンド実行部４７２は、ステップＳ３６２において、ステップＳ３６１において取得されたコマンドを実行する。
【０２５６】
なお、ステップＳ３４３の処理によりコマンドが実行不可能であると判定された場合、コマンドの送信は中止される。
【０２５７】
このようにすることにより、リモートコントローラ４２１は、自分自身を操作するユーザに対して許可されたコマンドのみをテレビジョン受像機４３１に実行させるように、コマンド送信制御を行うことができる。
【０２５８】
例えば、「お父さんかお母さん以外、テレビのチャンネルを変えることができない」といったようなユーザ単位のコマンド実行制御を行うことができる。このような制御において、生体データを用いることにより、制御部４４１は、コマンドの実行可否設定をより容易に利用することができる。
【０２５９】
［テレビジョン受像機において可否判定］
なお、コマンド実行可否判定は、受信側のテレビジョン受像機４３１において行われるようにしてもよい。その場合の各デバイスの、制御部の主な構成の実施の形態を図３８に示す。
【０２６０】
図３８に示されるように、この場合、制御部４４１は、図３６の制御部４４１が有するコマンド実行可否判定部４５３を有しておらず、代わりに、制御部４６１がコマンド実行可否判定部４５３を有する。つまり、コマンドの実行可否判定は、リモートコントローラ４２１（制御部４４１）ではなくテレビジョン受像機４３１（制御部４６１）が実行する。
【０２６１】
このコマンド実行可否判定部４５３以外の構成は、基本的に図３６の場合と同様である。ただし、この場合、制御部４４１の送信信号加工部４５５は、コマンド符号化部４５４において符号化されたコマンドと、生体データ取得部４５１において取得された生体データを送信信号に埋め込む。コマンド供給部４５６は、符号化されたコマンドと、生体データを含む送信信号を、通信部４４６を介してテレビジョン受像機４３１に供給する。
【０２６２】
制御部４６１のコマンド取得部４７１は、通信部４６２を介してその送信信号を受信し、コマンドおよび生体データを取得する。コマンド実行可否判定部４５３は、コマンド取得部４７１により取得された生体データのユーザが、コマンド取得部４７１により取得されたコマンドを実行可能であるか否かを判定する。コマンドが実行可能である場合、コマンド実行部４７２は、そのコマンドを実行する。
【０２６３】
図このような構成のシステムにおけるコマンド実行処理の流れの実施の形態を、図３９のフローチャートを参照して説明する。
【０２６４】
リモートコントローラ４２１の生体データ取得部４５１は、ステップＳ３８１において、指紋検出部４４２を制御し、リモートコントローラ４２１を操作するユーザの生体データ（例えば指１２の指紋）を取得する。指示受付部４５２は、ステップＳ３８２において、入力部４４３を介して入力されるユーザ指示を受け付ける。
【０２６５】
コマンド符号化部４５４は、ステップＳ３８３において、ステップＳ３８２において受け付けられたユーザ指示により指定されるコマンドを符号化する。送信信号加工部４５５は、ステップＳ３８４において、送信信号を加工し、ステップＳ３８３において符号化されたコマンド、および、ステップＳ３８１において取得された生体データを信号内に埋め込む。コマンド供給部４５６は、ステップＳ３８５において、ステップＳ３８４においてコマンドおよび生体データが埋め込まれた送信信号を、通信部４４６を介してテレビジョン受像機４３１に送信する。
【０２６６】
テレビジョン受像機４３１のコマンド取得部４７１は、ステップＳ４０１において、リモートコントローラ４２１より供給される送信信号を、通信部４６２に受信させ、送信信号に含まれるコマンドおよび生体データを取得する。
【０２６７】
コマンド実行可否判定部４５３は、ステップＳ４０２において、ステップＳ４０１において取得された生体データのユーザについて、ステップＳ４０１において取得されたコマンドの実行可否判定を行う。コマンドが実行可能であると判定された場合、コマンド実行部４７２は、ステップＳ４０３において、ステップＳ４０１において取得されたコマンドを実行する。
【０２６８】
なお、ステップＳ４０２の処理によりコマンドが実行不可能であると判定された場合、コマンドの実行は中止される。
【０２６９】
このように、コマンド実行可否判定を受信側のテレビジョン受像機４３１において実行させることも可能である。このようにすることにより、リモートコントローラ４２１の負荷を低減させることができる。ただし、その分、テレビジョン受像機４３１の負荷が増大する。このコマンド実行可否判定を送信側で行うか受信側で行うかは任意であるが、各装置の能力に応じて決定するのが望ましい。
【０２７０】
なお、以上においては、テレビジョン受像機４３１と、そのテレビジョン受像機４３１を制御するリモートコントローラ４２１により構成されるシステムについて説明したが、このようなコマンド実行可否判定は、コマンドを送受信するシステムであれば、どのようなシステムにおいても適用可能である。例えば、受信側の装置が、レコーダ、ホームステレオ、ゲーム機、照明、冷暖房機等であってもよい。もちろんこれら以外の装置であっても良い。また、例えば、ネットワークを介して接続される２台以上のパーソナルコンピュータにより構成されるシステムであってもよいし、ネットワークを介して接続されるサーバとクライアントからなるシステムであってもよい。
【０２７１】
以上のように、ユーザの生体情報と指示入力を受け付け、指示により得られる情報に、その情報の制御情報としてユーザの生体情報を関連付けることにより、撮像装置１００またはリモートコントローラ４２１は、情報の利便性を向上させ、その情報をより容易に利用できるようにすることができる。
【０２７２】
特に、装置の設定データにユーザの生体データ（ユーザデータ等）を関連付けることにより、撮像装置１００は、より容易に、ユーザに、ユーザが所望の設定値を提供することができる。また、生体データを用いて設定データを読み出すことができるので、設定データの更新・追加・削除等の処理も容易になる。さらに、生体データをユーザデータとして設定データと別に管理し、そのユーザデータに設定データを関連付けることにより、必要な情報のみを更新・追加・削除等の処理が容易になる。また、他のユーザのユーザデータを容易に複製することができるので、ユーザは、容易に他のユーザの設定値を自分のユーザデータに登録することができる。
【０２７３】
さらに、撮像装置１００またはリモートコントローラ４２１は、コマンドに生体データ（または生体データが関連付けられたユーザデータ）を関連付けることにより、コマンドの実行可否設定をユーザ毎に行うことができる。これにより、撮像装置１００またはリモートコントローラ４２１は、単にユーザに不要なコマンドを実行させないようにするだけでなく、例えばGUIを用いてユーザに実行コマンドを指定させる場合に、GUIの表示をユーザ毎に調整することができる。
【０２７４】
例えば、撮像装置１００またはリモートコントローラ４２１は、ユーザが実行不可能なコマンドを指定するGUIボタン等の操作を禁止したり（入力不可能としたり）、そのGUIボタン等の色、明るさ、またはデザイン等を変えてユーザに入力禁止であることを示したりすることができる。さらに、撮像装置１００またはリモートコントローラ４２１は、例えば、ユーザが実行不可能なコマンドを指定するGUIボタン等を非表示にすることもできる。さらに、撮像装置１００またはリモートコントローラ４２１は、例えば、その非表示に合わせて他のGUIボタン等を大きく表示する等、レイアウトを変更してユーザがより入力操作し易いようにしてもよい。
【０２７５】
このようにすることにより、ユーザが、コマンド実行の誤指示を抑制し、容易に装置を操作することができるようになるので、装置の安全性を向上させることができる。例えばチャイルドロックのように、子供等の特定のユーザの操作の禁止に利用することができる。また、例えばログインパスワードのように、コマンド実行時における生体データを用いた簡易ユーザ認証にも利用することができ、例えば装置を遺失したときに他の人物に不要に操作されるのを抑制することができる。さらに、例えば、一方のユーザは情報入力のみ許可し、他方のユーザは情報出力のみ許可する等、実行コマンドを制限することにより、装置を介した情報伝送制御も可能である。
【０２７６】
撮像装置１００またはリモートコントローラ４２１は、ユーザの生体データを用いることにより、これらの制御を容易に実現することができる。
【０２７７】
上述した一連の処理は、ハードウエアにより実行させることもできるし、ソフトウエアにより実行させることもできる。上述した一連の処理をソフトウエアにより実行させる場合、そのソフトウエアを構成するプログラムが、ネットワークや記録媒体からインストールされる。
【０２７８】
この記録媒体は、例えば、図１に示されるように、装置本体とは別に、撮像装置１００（リモートコントローラ４２１またはテレビジョン受像機４３１）の管理者にプログラムを配信するために配布される、プログラムが記録されているリムーバブルメディア１４１により構成されるだけでなく、装置本体に予め組み込まれた状態で管理者に配信される、制御部１１１のROMや、記憶部１２４に含まれるハードディスクなどで構成される。
【０２７９】
また、プログラムは、ローカルエリアネットワーク、インターネット、デジタル衛星放送といった、有線または無線の伝送媒体を介して提供することができる。この場合、プログラムは、有線または無線の伝送媒体を介して、通信部１３３により受信され、記憶部１２４等にインストールされる。
【０２８０】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０２８１】
また、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０２８２】
また、本明細書において、システムの用語は、複数の装置、手段などより構成される全体的な装置を意味するものとする。
【０２８３】
また、以上において、１つの装置（または処理部）として説明した構成を分割し、複数の装置（または処理部）として構成するようにしてもよい。逆に、以上において複数の装置（または処理部）として説明した構成をまとめて１つの装置（または処理部）として構成されるようにしてもよい。また、各装置（または各処理部）の構成に上述した以外の構成を付加するようにしてももちろんよい。さらに、システム全体としての構成や動作が実質的に同じであれば、ある装置（または処理部）の構成の一部を他の装置（または他の処理部）の構成に含めるようにしてもよい。つまり、本発明の実施の形態は、上述した実施の形態に限定されるものではなく、本発明の要旨を逸脱しない範囲において種々の変更が可能である。
【符号の説明】
【０２８４】
１００  撮像装置，  １１１  制御部，  １２６  指紋検出部，  ２４１  生体データ記憶部，  ２４２  指示受付部，  ２４３  画像データ取得部，  ２４４  撮影者生体データ付与部，  ２４５  画像データ記憶部，  ２４６  画像データ検索部，  ２４７  検索結果表示部，  ２８１  画像データ取得部，  ２８２  閲覧可能者生体データ付与部，  ３０１  設定データ生成部，  ３０２  生体データ付与部，  ３０３  データ記憶部，  ３０４  設定データ検索部，  ３０５  画像データ取得部，  ３３１  ユーザデータ生成部，  ３３２  生体データ付与部，  ３３３  ユーザデータ記憶部，  ３３４  ユーザデータ削除部，  ３３５  ユーザデータ検索部，  ３６１  ユーザデータ供給部，  ３６２  通知取得部，  ３６３  通知表示部，  ３７１  ユーザデータ取得部，  ３７２  通知供給部，  ３７３  ユーザデータ更新部，  ４０１  コマンド実行可否判定部，  ４０２  処理実行部，  ４２１  リモートコントローラ，  ４３１  テレビジョン受像機，  ４４１  制御部，  ４４２  指紋検出部，  ４４６  通信部，  ４５１  生体データ取得部，  ４５２  指示受付部，  ４５３  コマンド実行可否判定部，  ４５４  コマンド符号化部，  ４５５  送信信号加工部，  ４５６  コマンド供給部，  ４６１  制御部，  ４６２  通信部，  ４６５  表示部，  ４７１  コマンド取得部，  ４７２  コマンド実行部
【図１】
2010183500.tif 000003
【図２】
2010183500.tif 000004
【図３】
2010183500.tif 000005
【図４】
2010183500.tif 000006
【図５】
2010183500.tif 000007
【図６】
2010183500.tif 000008
【図７】
2010183500.tif 000009
【図８】
2010183500.tif 000010
【図９】
2010183500.tif 000011
【図１０】
2010183500.tif 000012
【図１１】
2010183500.tif 000013
【図１２】
2010183500.tif 000014
【図１３】
2010183500.tif 000015
【図１４】
2010183500.tif 000016
【図１５】
2010183500.tif 000017
【図１６】
2010183500.tif 000018
【図１７】
2010183500.tif 000019
【図１８】
2010183500.tif 000020
【図１９】
2010183500.tif 000021
【図２０】
2010183500.tif 000022
【図２１】
2010183500.tif 000023
【図２２】
2010183500.tif 000024
【図２３】
2010183500.tif 000025
【図２４】
2010183500.tif 000026
【図２５】
2010183500.tif 000027
【図２６】
2010183500.tif 000028
【図２７】
2010183500.tif 000029
【図２８】
2010183500.tif 000030
【図２９】
2010183500.tif 000031
【図３０】
2010183500.tif 000032
【図３１】
2010183500.tif 000033
【図３２】
2010183500.tif 000034
【図３３】
2010183500.tif 000035
【図３４】
2010183500.tif 000036
【図３５】
2010183500.tif 000037
【図３６】
2010183500.tif 000038
【図３７】
2010183500.tif 000039
【図３８】
2010183500.tif 000040
【図３９】
2010183500.tif 000041
【手続補正書】
【提出日】平成22年3月15日(2010.3.15)
【手続補正１】
【補正対象書類名】明細書
【補正対象項目名】０１２５
【補正方法】変更
【補正の内容】
【０１２５】
設定データ生成部３０１は、ステップＳ１８５において、ステップＳ１８４の処理により受け付けられたユーザ指示に基づいて撮像装置１００の設定を行い、その設定データを生成する。生体データ付与部３０２は、ステップＳ１８６において、ステップＳ１８５において生成された設定データに、ステップＳ１８１において取得された生体データを付与する。データ記憶部３０３は、ステップＳ１８７において、生体データが付与された設定データを記憶部１２４に記憶させる。
【手続補正２】
【補正対象書類名】明細書
【補正対象項目名】０１７１
【補正方法】変更
【補正の内容】
【０１７１】
図２３の場合と同様に、ユーザデータ３５２においても、生体データIDは、１ユーザの生体データを識別する情報である。したがって、例えば、ユーザID「１」の生体データID「１」の生体データ（生体データ特徴量「8.273」）と、ユーザID「２」の生体データID「１」の生体データ（生体データ特徴量「2.358」）は、互いに異なる。このことは、図２６以降においても同様である。
【手続補正３】
【補正対象書類名】明細書
【補正対象項目名】０１９７
【補正方法】変更
【補正の内容】
【０１９７】
これらの機能ブロックは、制御部１１１Ａにおいて、例えばCPUがROMより読み出したプログラムやデータをRAMにロードし、実行することにより実現される。
【手続補正４】
【補正対象書類名】明細書
【補正対象項目名】０１９９
【補正方法】変更
【補正の内容】
【０１９９】
通知取得部３６２は、撮像装置１００Ｂより供給される通知を、通信部１３３Ａを介して取得する。通知表示部３６３は、通知取得部３６２により取得された通知を、表示部１２５に表示させる。
【手続補正５】
【補正対象書類名】明細書
【補正対象項目名】０２０１
【補正方法】変更
【補正の内容】
【０２０１】
ユーザデータ取得部３７１は、撮像装置１００Ａより供給されるユーザデータを、通信部１３３Ｂを介して取得する。通知供給部３７２は、ユーザデータ取得部３７１がユーザデータを取得したことを示す通知を、通信部１３３Ｂを介して撮像装置１００Ａに通知する。ユーザデータ更新部３７３は、撮像装置１００Ｂのユーザデータの更新を行う。
【手続補正６】
【補正対象書類名】明細書
【補正対象項目名】０２０４
【補正方法】変更
【補正の内容】
【０２０４】
このような操作に対して、生体データ取得部２４１Ａは、ステップＳ２８１において、指紋検出部１２６Ａを制御し、ユーザＡの生体データを取得する。指示受付部２４２Ａは、ステップＳ２８２において、入力部１３１Ａを介して入力されるユーザＡのユーザ指示を受け付ける。そのユーザ指示によりユーザデータの複製が指示されると、ユーザデータ供給部３６１は、ステップＳ２８３において、ユーザデータを、通信部１３３Ａを介して撮像装置１００Ｂに供給する。
【手続補正７】
【補正対象書類名】明細書
【補正対象項目名】０２０６
【補正方法】変更
【補正の内容】
【０２０６】
このような操作に対して、生体データ取得部２４１Ｂは、ステップＳ３０１において、指紋検出部１２６Ｂを制御し、ユーザＢの生体データを取得する。指示受付部２４２Ｂは、ステップＳ３０２において、入力部１３１Ｂを介して入力されるユーザＢのユーザ指示を受け付ける。そのユーザ指示によりユーザデータの受信が指示されると、ユーザデータ取得部３７１は、ステップＳ３０３において、撮像装置１００Ａより供給されるユーザデータを取得する。
【手続補正８】
【補正対象書類名】明細書
【補正対象項目名】０２０７
【補正方法】変更
【補正の内容】
【０２０７】
ユーザデータを取得すると、通知供給部３７２は、ステップＳ３０４において、通信部１３３Ｂを制御し、受信完了通知を撮像装置１００Ａに供給する。通知取得部３６２は、ステップＳ２８４において、その撮像装置１００Ｂより供給される受信完了通知を、通信部１３３Ａを介して取得する。通知表示部３６３は、ステップＳ２８５において、表示部１２５Ａを制御し、処理終了をユーザＡに通知する。
【手続補正９】
【補正対象書類名】明細書
【補正対象項目名】０２０８
【補正方法】変更
【補正の内容】
【０２０８】
また、撮像装置１００Ｂのユーザデータ更新部３７３は、ステップＳ３０５において、ステップＳ３０３において取得されたユーザデータのユーザIDをユーザＢのユーザIDに変更する。ユーザデータ更新部３７３は、ステップＳ３０６において、ステップＳ３０３において取得されたユーザデータの生体データをユーザＢの生体データに置き換える（更新する）。ユーザデータ更新部３７３は、ステップＳ３０７において、表示部１２５Ｂを制御し、処理終了をユーザＢに通知する。
【手続補正１０】
【補正対象書類名】図面
【補正対象項目名】図３８
【補正方法】変更
【補正の内容】
【図３８】
2010183500.tif 000042